(57)【要約】  シートを製造するシート製造装置について、ユーザーインターフェースの表示に関し、ユーザーの利便性を向上する。  繊維を含む原料が供給され、供給された原料を加工してシートを製造するシート製造装置１であって、供給される原料に関する原料情報と、製造するシートに関する製造情報と、シートの加工に関する加工情報とが表示されたユーザーインターフェースを表示させる制御部２０を備えるシート製造装置１。
2018043177.tif 000002
【特許請求の範囲】
【請求項１】
繊維を含む原料が供給され、供給された前記原料を加工してシートを製造するシート製造装置であって、
供給される前記原料に関する原料情報と、製造する前記シートに関する製造情報と、前記シートの加工に関する加工情報とが表示されたユーザーインターフェースを表示させる制御部を備えるシート製造装置。
【請求項２】
前記原料情報は、
所定の期間で供給され消費された前記原料の量に関する情報と、前記原料の残量に関する情報と、供給された前記原料に基づく前記シートの製造を開始した後に消費した前記原料の量に関する情報とのいずれか１つの情報を少なくとも含む請求項１に記載のシート製造装置。
【請求項３】
前記製造情報は、
所定の期間で製造された前記シートの枚数に関する情報と、供給された前記原料に基づく前記シートの製造を開始した後に製造された前記シートの枚数に関する情報とのいずれか１つの情報を少なくとも含む請求項１又は２に記載のシート製造装置。
【請求項４】
前記原料は紙状である請求項１から３のいずれか１項に記載のシート製造装置。
【請求項５】
前記ユーザーインターフェースは、表示される情報の内容に応じた複数のブロックから構成されており、
前記原料情報と前記製造情報とは、同一の前記ブロックに表示される請求項１から４のいずれか１項に記載のシート製造装置。
【請求項６】
所定の色の前記シートを製造可能であり、
前記加工情報は、
製造する前記シートの色に関する情報を含む請求項１から５のいずれか１項に記載のシート製造装置。
【請求項７】
複数色の樹脂を色ごとに貯留する複数の樹脂カートリッジを備え、
シートを製造する所定の工程で、前記原料に基づく所定の材料に対して、１又は複数の前記樹脂カートリッジから樹脂が供給され、
前記加工情報は、
製造する前記シートの色に関する情報として、前記所定の材料に対して供給される樹脂の色に関する情報を含む請求項６に記載のシート製造装置。
【請求項８】
前記加工情報は、
前記所定の材料に対して供給される樹脂の色に関する情報として、各色の配合に関する情報を含む請求項７に記載のシート製造装置。
【請求項９】
所定のサイズの前記シートを製造可能であり、
前記加工情報は、
製造する前記シートのサイズに関する情報を含む請求項１から８のいずれか１項に記載のシート製造装置。
【請求項１０】
所定の厚さの前記シートを製造可能であり、
前記加工情報は、
製造する前記シートの厚さに関する情報を含む請求項１から９のいずれか１項に記載のシート製造装置。
【請求項１１】
前記制御部は、
前記ユーザーインターフェースに、警告に関する警告情報を一覧表示する請求項１から１０のいずれか１項に記載のシート製造装置。
【請求項１２】
前記制御部は、
前記ユーザーインターフェースに、装置本体の状態に関する状態情報を表示する請求項１から１１のいずれか１項に記載のシート製造装置。
【請求項１３】
前記状態情報は、
前記シートを製造する処理を実行中か否かを示す情報を含む請求項１２に記載のシート製造装置。
【請求項１４】
前記状態情報は、
供給された前記原料に基づく前記シートの製造を開始してからの運転時間に関する情報を含む請求項１２又は１３に記載のシート製造装置。
【請求項１５】
前記ユーザーインターフェースは、
前記シートを製造する処理の開始を指示する操作ボタンを有し、
前記制御部は、
前記操作ボタンが操作されたことを検出した場合、前記シートを製造する処理を開始する請求項１から１４のいずれか１項に記載のシート製造装置。
【請求項１６】
繊維を含む原料が供給され、供給された前記原料を加工してシートを製造するシート製造装置の制御方法であって、
供給される前記原料に関する原料情報と、製造する前記シートに関する製造情報と、前記シートの加工に関する加工情報とが表示されたユーザーインターフェースを表示させるシート製造装置の制御方法。
【発明の詳細な説明】
【技術分野】
【０００１】
本発明は、シート製造装置、及び、シート製造装置の制御方法に関する。
【背景技術】
【０００２】
従来、シート製造装置（古紙再生処理装置）について、装置の運転状態を容易に管理するための情報が表示されたユーザーインターフェース（画面）を表示する技術が知られている（例えば、特許文献１参照）。
【先行技術文献】
【特許文献】
【０００３】
【特許文献１】特開２０１３−８７３７０号公報
【発明の概要】
【発明が解決しようとする課題】
【０００４】
しかしながら、上述した特許文献１では、１つのユーザーインターフェースに、同一又は近似する内容の情報が表示される構成のため、ユーザーが同時に参照することを望むと想定される情報がそれぞれ異なるユーザーインターフェースに表示される場合がある。この場合、ユーザーは、ユーザーインターフェースを遷移させてそれぞれの情報を参照する必要があり、ユーザーの利便性の向上に改善の余地がある。
本発明は、上述した事情に鑑みてなされたものであり、シートを製造するシート製造装置について、ユーザーインターフェースの表示に関し、ユーザーの利便性を向上することを目的とする。
【課題を解決するための手段】
【０００５】
上記課題を解決するために、本発明のシート製造装置は、繊維を含む原料が供給され、供給された前記原料を加工してシートを製造するシート製造装置であって、供給される前記原料に関する原料情報と、製造する前記シートに関する製造情報と、前記シートの加工に関する加工情報とが表示されたユーザーインターフェースを表示させる制御部を備える。
本発明の構成によれば、ユーザーは、原料情報と、製造情報と、加工情報について、ユーザーインターフェースを遷移させることなく、同一のユーザーインターフェースを介して同時に参照でき、ユーザーの利便性が向上する。特に、原料情報と、製造情報と、加工情報とは、内容が関連した情報であり、ユーザーが同時に参照し、比較することを望む情報と想定されるため、本発明によれば、より的確にユーザーの利便性を向上できる。【０００６】
また、本発明は、前記原料情報は、所定の期間で供給され消費された前記原料の量に関する情報と、前記原料の残量に関する情報と、供給された前記原料に基づく前記シートの製造を開始した後に消費した前記原料の量に関する情報とのいずれか１つの情報を少なくとも含む。
本発明の構成によれば、ユーザーは、ユーザーインターフェースを参照することにより、簡易に的確に、所定の期間で供給され消費された原料の量に関する情報と、原料の残量に関する情報と、供給された原料に基づくシートの製造を開始した後に消費した原料の量に関する情報とのいずれかについて、認識できる。【０００７】
また、本発明は、前記製造情報は、所定の期間で製造された前記シートの枚数に関する情報と、供給された前記原料に基づく前記シートの製造を開始した後に製造された前記シートの枚数に関する情報とのいずれか１つの情報を少なくとも含む。
本発明の構成によれば、ユーザーは、ユーザーインターフェースを参照することにより、簡易に的確に、所定の期間で製造されたシートの枚数に関する情報と、供給された原料に基づくシートの製造を開始した後に製造されたシートの枚数に関する情報とのいずれかについて、認識できる。【０００８】
また、本発明は、前記原料は紙状である。
本発明の構成によれば、紙状の原料が供給され、シートを製造するシート製造装置について、ユーザーの利便性を向上できる。【０００９】
また、本発明は、前記ユーザーインターフェースは、表示される情報の内容に応じた複数のブロックから構成されており、前記原料情報と前記製造情報とは、同一の前記ブロックに表示される。
ここで、原料情報の内容と製造情報の内容とは関連しており、ユーザーは、原料情報と、製造情報とを同時に参照し、これら情報の内容を比較することを望むものと想定される。以上を踏まえ、製造情報と、原料情報とが、同一のブロックに表示されることにより、ユーザーは、製造情報と原料情報とが関連する情報であることを的確に認識できると共に、これら情報を同時に参照し、これら情報の内容を的確に比較することができる。【００１０】
また、本発明は、所定の色の前記シートを製造可能であり、前記加工情報は、製造する前記シートの色に関する情報を含む。
本発明の構成によれば、ユーザーは、ユーザーインターフェースに表示された加工情報を参照することにより、製造するシートの色について、簡易に的確に認識できる。【００１１】
また、本発明は、複数色の樹脂を色ごとに貯留する複数の樹脂カートリッジを備え、シートを製造する所定の工程で、前記原料に基づく所定の材料に対して、１又は複数の前記樹脂カートリッジから樹脂が供給され、前記加工情報は、製造する前記シートの色に関する情報として、前記所定の材料に対して供給される樹脂の色に関する情報を含む。
本発明の構成によれば、ユーザーは、ユーザーインターフェースの加工情報を参照することにより、所定の材料に対して供給される樹脂の色について、簡易に的確に認識できる。【００１２】
また、本発明は、前記加工情報は、前記所定の材料に対して供給される樹脂の色に関する情報として、各色の配合に関する情報を含む。
本発明の構成によれば、ユーザーは、ユーザーインターフェースの加工情報を参照することにより、供給される樹脂の色の配合について、簡易に的確に認識できる。【００１３】
また、本発明は、所定のサイズの前記シートを製造可能であり、前記加工情報は、製造する前記シートのサイズに関する情報を含む。
本発明の構成によれば、ユーザーは、ユーザーインターフェースの加工情報を参照することにより、製造するシートのサイズについて、簡易に的確に認識できる。【００１４】
また、本発明は、所定の厚さの前記シートを製造可能であり、前記加工情報は、製造する前記シートの厚さに関する情報を含む。
本発明の構成によれば、ユーザーは、ユーザーインターフェースの加工情報を参照することにより、製造するシートの厚さについて、簡易に的確に認識できる。【００１５】
また、本発明は、前記制御部は、前記ユーザーインターフェースに、警告に関する警告情報を一覧表示する。
本発明の構成によれば、ユーザーは、ユーザーインターフェースを参照することにより、警告に関し簡易に的確に認識できる。【００１６】
また、本発明は、前記制御部は、前記ユーザーインターフェースに、装置本体の状態に関する状態情報を表示する。
本発明の構成によれば、ユーザーは、ユーザーインターフェースを参照することにより、装置本体の状態について、簡易に的確に認識できる。【００１７】
また、本発明は、前記状態情報は、前記シートを製造する処理を実行中か否かを示す情報を含む。
本発明の構成によれば、ユーザーは、ユーザーインターフェースを参照することにより、シート製造装置１がシートを製造する処理を実行中か否かについて、簡易に的確に認識することができる。【００１８】
また、本発明は、前記状態情報は、供給された前記原料に基づく前記シートの製造を開始してからの運転時間に関する情報を含む。
本発明の構成によれば、ユーザーは、ユーザーインターフェースを参照することにより、供給された原料に基づくシートの製造を開始してからの運転時間について、簡易に的確に認識できる。【００１９】
また、本発明は、前記ユーザーインターフェースは、前記シートを製造する処理の開始を指示する操作ボタンを有し、前記制御部は、前記操作ボタンが操作されたことを検出した場合、前記シートを製造する処理を開始する。
本発明の構成によれば、ユーザーは、ユーザーインターフェースから他のユーザーインターフェースに遷移させることなく、操作ボタンを操作するという簡易な作業を行うことによって、シートの製造を開始させることができる。【００２０】
また、上記課題を解決するため、本発明は、繊維を含む原料が供給され、供給された前記原料を加工してシートを製造するシート製造装置の制御方法であって、供給される前記原料に関する原料情報と、製造する前記シートに関する製造情報と、前記シートの加工に関する加工情報とが表示されたユーザーインターフェースを表示させる。
本発明の構成によれば、ユーザーは、原料情報と、製造情報と、加工情報について、ユーザーインターフェースを遷移させることなく、同一のユーザーインターフェースを介して同時に参照でき、ユーザーの利便性が向上する。特に、原料情報と、製造情報と、加工情報とは、内容が関連した情報であり、ユーザーが同時に参照し、比較することを望む情報と想定されるため、本発明によれば、より的確にユーザーの利便性を向上できる。
【図面の簡単な説明】
【００２１】
【図１】シート製造装置の正面図。
【図２】シートを製造するときの各工程のフロー。
【図３】シート製造装置の機能的構成を示すブロック図。
【図４】第１ユーザーインターフェースを示す図。
【図５】第２ユーザーインターフェースを示す図。
【図６】第３ユーザーインターフェースを示す図。
【図７】第４ユーザーインターフェースを示す図。
【図８】第５ユーザーインターフェースを示す図。
【図９】第５ユーザーインターフェースを示す図。
【図１０】第６ユーザーインターフェースを示す図。
【図１１】第５ユーザーインターフェースを示す図。
【図１２】第５ユーザーインターフェースを示す図。
【図１３】メニュー画面を示す図。
【図１４】第７ユーザーインターフェースを示す図。
【図１５】第８ユーザーインターフェースを示す図。
【図１６】第７ユーザーインターフェースを示す図。
【図１７】第９ユーザーインターフェースを示す図。
【図１８】第１０ユーザーインターフェースを示す図。
【図１９】第１１ユーザーインターフェースを示す図。
【図２０】第１２ユーザーインターフェースを示す図。
【図２１】第１３ユーザーインターフェースを示す図。
【図２２】第１４ユーザーインターフェースを示す図。
【図２３】第１５ユーザーインターフェースを示す図。
【図２４】第１６ユーザーインターフェースを示す図。
【図２５】第１５ユーザーインターフェースを示す図。
【図２６】第１５ユーザーインターフェースを示す図。
【図２７】第１５ユーザーインターフェースを示す図。
【図２８】第１７ユーザーインターフェースを示す図。
【図２９】第１８ユーザーインターフェースを示す図。
【図３０】第１９ユーザーインターフェースを示す図。
【図３１】第２０ユーザーインターフェースを示す図。
【図３２】第２１ユーザーインターフェースを示す図。
【図３３】第２２ユーザーインターフェースを示す図。
【図３４】第２３ユーザーインターフェースを示す図。
【図３５】第２３ユーザーインターフェースを示す図。
【図３６】第２４ユーザーインターフェースを示す図。
【図３７】第２５ユーザーインターフェースを示す図。
【図３８】第２６ユーザーインターフェースを示す図。
【図３９】第５ユーザーインターフェースを示す図。
【図４０】第２７ユーザーインターフェースを示す図。
【図４１】第２８ユーザーインターフェースを示す図。
【図４２】第２９ユーザーインターフェースを示す図。
【図４３】第５ユーザーインターフェースを示す図。
【図４４】第３０ユーザーインターフェースを示す図。
【図４５】第３１ユーザーインターフェースを示す図。
【図４６】第３２ユーザーインターフェースを示す図。
【図４７】第３３ユーザーインターフェースを示す図。
【図４８】第３４ユーザーインターフェースを示す図。
【図４９】第３５ユーザーインターフェースを示す図。
【図５０】第３６ユーザーインターフェースを示す図。
【図５１】第３７ユーザーインターフェースを示す図。
【図５２】第３８ユーザーインターフェースを示す図。
【図５３】第３９ユーザーインターフェースを示す図。
【図５４】第４０ユーザーインターフェースを示す図。
【図５５】第４１ユーザーインターフェースを示す図。
【図５６】第４２ユーザーインターフェースを示す図。
【図５７】第４３ユーザーインターフェースを示す図。
【図５８】第４３ユーザーインターフェースを示す図。
【図５９】第４４ユーザーインターフェースを示す図。
【図６０】第４５ユーザーインターフェースを示す図。
【図６１】第４６ユーザーインターフェースを示す図。
【図６２】第４７ユーザーインターフェースを示す図。
【図６３】第４８ユーザーインターフェースを示す図。
【図６４】第４９ユーザーインターフェースを示す図。
【図６５】第４９ユーザーインターフェースを示す図。
【図６６】第５０ユーザーインターフェースを示す図。
【図６７】第５１ユーザーインターフェースを示す図。
【図６８】第５２ユーザーインターフェースを示す図。
【図６９】第５３ユーザーインターフェースを示す図。
【図７０】第５４ユーザーインターフェースを示す図。
【発明を実施するための形態】
【００２２】
以下、図面を参照して本発明の実施形態について説明する。
図１は、本実施形態に係るシート製造装置１の正面図である。なお、図１を用いた説明において、上下左右の各方向は、図中で矢印により示す方向に対応する。
シート製造装置１は、繊維を含む原料が供給され、供給された原料を加工して所定の形状で所定の色のシートを製造する装置である。本実施形態では、シート製造装置１に供給される原料は、紙状の古紙である。ただし、シート製造装置１に供給される原料は、古紙に限らない。シート製造装置１に供給される原料は繊維を含むものであればよく、例えば、パルプ、パルプシート、不織布を含む布、或いは織物等が挙げられる。
図１に示すように、シート製造装置１は、略直方体の筐体２を備える。筐体２の正面２ａの中央上部には、正面２ａの上部に設けられた開口を開閉する開閉扉３が設けられる。開閉扉３には取っ手３ａが設けられ、ユーザーは、取っ手３ａを用いて開閉扉３を開状態又は閉状態とすることができる。開閉扉３が開状態となると、樹脂カートリッジ収納部が露出する。樹脂カートリッジ収納部は、筐体２の内部の開閉扉３に対応する位置に設けられ、第１無着色（Ｐ）の樹脂が貯留する樹脂カートリッジＫＴ１と、第２無着色（Ｓ）の樹脂が貯留する樹脂カートリッジＫＴ２と、白色（Ｗ）の樹脂が貯留する樹脂カートリッジＫＴ３と、イエロー（Ｙ）の樹脂が貯留する樹脂カートリッジＫＴ４と、マゼンタ（Ｍ）の樹脂が貯留する樹脂カートリッジＫＴ５と、シアン（Ｃ）の樹脂が貯留する樹脂カートリッジＫＴ６とが収納される収納部である。以下、樹脂カートリッジＫＴ１〜ＫＴ６を区別しない場合、「樹脂カートリッジＫＴ」と表現する。第１無着色、及び、第２無着色は、着色が施されていない樹脂の色を意味する。第１無着色の樹脂と、第２無着色の樹脂とは異なる成分であり、製造する再生紙の仕様に応じて、片方の樹脂のみ使用したり、両者を所定の配分で混合して使用したりする。なお、両者は同じ成分であってもかまわない。樹脂カートリッジＫＴについては、後述する。開閉扉３は、透明の素材で構成されており、ユーザーは、開閉扉３を開状態とすることなく、樹脂カートリッジ収納部に収納された樹脂カートリッジＫＴの状態を視認できる。また、ユーザーは、開閉扉３を開状態として樹脂カートリッジ収納部を露出した後、所定の色の樹脂カートリッジＫＴを交換できる。
【００２３】
図１に示すように、筐体２の正面２ａにおいて、開閉扉３の右方には、タッチパネル５が設けられる。タッチパネル５は、シート製造装置１が、オフィスや、工場、その他の空間に設けられた場合において、当該装置を操作することが想定される成人のユーザーが、姿勢を変えることなく簡易に視認でき、かつ、簡易にタッチ操作ができる高さの位置に設けられる。一例として、タッチパネル５は、タッチパネル５の中央部の高さが略１．４メートルとなる位置に設けられる。後述するように、タッチパネル５には、シート製造装置１に関する各種情報が表示されたユーザーインターフェースが表示される。
【００２４】
図１に示すように、筐体２の正面２ａにおいて、タッチパネル５の上方には、非常停止ボタン６が設けられる。非常停止ボタン６は、シート製造装置１がシートを製造する処理を実行中の場合において、当該処理を緊急で停止することを指示するボタンである。後述するように、ユーザーによって非常停止ボタン６がオンされた場合、対応する情報がユーザーインターフェースに表示された上で、シート製造装置１によるシートの製造に係る処理が停止する。ユーザーは、ユーザーインターフェースを参照することにより、適切な対応をとることができる。なお、非常停止ボタン６は、押下する度にオンとオフを交互に切り替えるタイプのスイッチであるが、所謂シーソー型やレバー型のスイッチであってもよい。
【００２５】
図１に示すように、筐体２の正面２ａにおいて、タッチパネルの下方には、押下式の電源スイッチ７が設けられる。また、筐体２の左側面２ｂの上下方向の中央部には、回転式のブレーカースイッチ８が設けられる。ユーザーは、シート製造装置１が起動してない状態において、シート製造装置１を起動させ、シート製造装置１についてシートを製造する処理を開始できる状態とするためには、ブレーカースイッチ８をオンした後、電源スイッチ７をオンする必要がある。後述するように、ブレーカースイッチ８の操作、及び、電源スイッチ７の操作について、タッチパネル５に対応する情報が表示されたユーザーインターフェースが表示される。ユーザーは、ユーザーインターフェースを参照することにより、適切な対応をとることができる。
【００２６】
図１に示すように、筐体２の正面２ａにおいて、開閉扉３の下方には、前カバー９が設けられる。前カバー９には取っ手９ａが設けられる。ユーザーは、取っ手９ａを用いて前カバー９を開状態又は閉状態とすることができる。前カバー９が開状態となると、筐体２の内部に設けられた機内タンク収納部が露出する。機内タンク収納部は、筐体２の内部の開閉扉３に対応する位置に設けられ、少なくとも機内タンクＱＴ（後述）が収納される収納部である。前カバー９は、図示しないロック機構によるロックが解除された状態の場合にのみ開状態とすることが可能である。
後述するように、機内タンク収納部に収納された機内タンクＱＴには、所定のタイミングで外部から水を供給し、また、外部に水を排出する必要がある。そして、機内タンクＱＴへの水の供給、及び、機内タンクＱＴからの水の排出に際し、タッチパネル５には、対応する情報が表示されたユーザーインターフェースが表示される。ユーザーは、ユーザーインターフェースを参照することにより、適切な対応をとることができる。
【００２７】
図１に示すように、筐体２の正面２ａの下部には、正面２ａから突出した状態で、給紙カセット１１が設けられる。給紙カセット１１は、原料となる古紙が収容される装置である。古紙に基づくシートの製造に際し、給紙カセット１１に収容された古紙が所定の手段により筐体２の内部に供給される。図示は省略するが給紙カセット１１には、オプションとして、古紙を収容可能な給紙トレイを装着することができる。
図１に示すように、筐体２の正面２ａの左端部には、筐体２が後方に向かって凹むことによって空間が形成されており、当該空間には、排紙トレイ１２が設けられる。排紙トレイ１２は、シート製造装置１により製造されたシートが、順次、排紙され、貯留される装置である。排紙トレイ１２には、オプションとして、排紙スタッカーを装着することができる。
【００２８】
図１に示すように、筐体２の右側面２ｃの所定の位置には、廃粉ボックスカバー１３が設けられる。廃粉ボックスカバー１３が開状態となると、筐体２の内部に設けられた廃粉袋収納部が露出する。廃粉袋収納部は、筐体２の廃粉ボックスカバー１３に対応する位置に設けられ、少なくとも廃粉袋ＨＨ（後述）が収納される収納部である。廃粉ボックスカバー１３は、図示しないロック機構によるロックが解除された状態の場合にのみ開状態とすることが可能である。
後述するように、廃粉袋ＨＨには、シートを製造する所定の工程で生じる廃粉が貯留される。ユーザーは、廃粉袋ＨＨに貯留された廃粉の量が所定量を上回った場合、古い廃粉袋ＨＨを新しい廃粉袋ＨＨに交換する必要がある。そして、廃粉袋ＨＨの交換に際し、タッチパネル５には、対応する情報が表示されたユーザーインターフェースが表示される。ユーザーは、ユーザーインターフェースを参照することにより、適切な対応をとることができる。
【００２９】
次に、シート製造装置１がシートを製造するときの基本的な工程について説明する。
図２は、シートを製造する際に実行される工程のフローを示す図である。
図２に示すように、まず、供給工程Ｋ１が実行される。供給工程Ｋ１では、給紙カセット１１等から筐体２に古紙が供給される。
供給工程Ｋ１の次に、粗砕工程Ｋ２が実行される。粗砕工程Ｋ２では、原料として古紙が、空気中で切断され、１〜数センチ四方またはそれ以下のサイズの紙片に裁断される。
粗砕工程Ｋ２の次に、解繊工程Ｋ３が実行される。解繊工程Ｋ３では、粗砕工程Ｋ２で裁断された原料が、繊維状に解きほぐされて解繊されることによって、解繊物が生成される。
解繊工程Ｋ３の次に、選別工程Ｋ４が実行される。選別工程Ｋ４では、解繊物から長い繊維（長繊維。）や、十分に解繊されなかった未解繊片が空気中で選別されて取り除かれる。取り除かれた繊維や、未解繊片は、廃粉として、廃粉袋ＨＨに排出され、貯留される。
選別工程Ｋ４の次に、ほぐし工程Ｋ５が実行される。ほぐし工程Ｋ５では、解繊物がほぐされて、次の混合工程Ｋ６において樹脂と混合しやすい状態とされる。
ほぐし工程Ｋ５の次に、混合工程Ｋ６が実行される。混合工程Ｋ６では、解繊物と樹脂とが混合されて、混合物が生成される。
混合工程Ｋ６では、所定の量の解繊物に対して、所定の色の１又は複数の樹脂カートリッジＫＴから、所定の量の樹脂が供給されて、混合される。混合工程Ｋ６において、樹脂を供給する樹脂カートリッジＫＴの色、及び、各樹脂カートリッジＫＴの供給量によって、製造されるシートの色が調整される。後述するように、ユーザーは、タッチパネル５に表示されるユーザーインターフェースを利用して、簡易に、供給する樹脂の色と、樹脂を供給する樹脂カートリッジＫＴのそれぞれの樹脂の供給量の割合を指定することができる。
混合工程Ｋ６の次に、堆積工程Ｋ７が実行される。堆積工程Ｋ７では、混合物が空気中で分散されながら降らせられ、堆積されて搬送される。
堆積工程Ｋ７の次に、シート形成工程Ｋ８が実行される。シート形成工程Ｋ８では、堆積工程Ｋ７で堆積されて搬送される混合物が加圧、加熱されてカット前シートが生成される。
シート形成工程Ｋ８の次に、切断工程Ｋ９が実行される。切断工程Ｋ９では、生成されたカット前シートが切断されて、所定のサイズのシートが製造される。
切断工程Ｋ９の次に、排紙工程Ｋ１０が実行される。排紙工程Ｋ１０では、排紙トレイ１２等に、製造されたシートが排紙される。
また、上記の各工程と並行して、加湿工程Ｋ１１が実行される。上述した機内タンクＱＴにより水が供給される加湿器によって、各部が適切に加湿される。
【００３０】
図３は、シート製造装置１の機能的構成を示すブロック図である。
図３に示すように、シート製造装置１は、制御部２０と、タッチパネル制御部２１と、記憶部２２と、入力部２３と、ロック部２４と、検出部２５と、供給部３１と、粗砕部３２と、解繊部３３と、選別部３４と、ほぐし部３５と、混合部３６と、堆積部３７と、シート形成部３８と、切断部３９と、排紙部４０と、加湿部４１とを有する。
【００３１】
制御部２０は、ＣＰＵや、ＲＯＭ、ＲＡＭ、ＡＳＩＣ、信号処理回路等を備え、シート製造装置１の各部を制御する。制御部２０は、例えばＣＰＵが、ＲＯＭに記憶されたプログラムをＲＡＭに読み出して処理を実行し、また例えばＡＳＩＣに実装された機能により処理を実行し、また例えば信号処理回路で信号処理を行って処理を実行する等、ハードウェア及びソフトウェアにより処理を実行する。
タッチパネル制御部２１は、タッチパネル５を備え、制御部２０の制御で、タッチパネル５を制御する。タッチパネル制御部２１は、制御部２０の制御で、後述するユーザーインターフェースを含む各種画面をタッチパネル５に表示する。タッチパネル制御部２１は、タッチパネル５に対して行われたタッチ操作を検出し、タッチ操作された位置を示す信号を制御部２０に出力する。制御部２０は、タッチパネル制御部２１からの入力に基づいて、タッチ操作に対応する処理を実行する。
記憶部２２は、不揮発性メモリーを備え、各種データを記憶する。
入力部２３は、シート製造装置１に設けられたスイッチ（ブレーカースイッチ８、電源スイッチ７、非常停止ボタン６を含む。）に対する操作を検出し、制御部２０に出力する。制御部２０は、入力部２３からの入力に基づいて、スイッチに対する操作に対応する処理を実行する。
ロック部２４は、前カバー９を含む所定のカバーをロックし、又は、ロックを解除するロック機構を備え、制御部２０の制御で、ロック機構を制御する。
【００３２】
検出部２５は、シート製造装置１が所定の状態に至ったことや、エラーが発生したこと、消耗品の残量が不足していること等を検出し、制御部２０に通知する。
検出部２５は、少なくとも、以下の事項を検出する。
検出部２５は、所定のセンサーから入力される検出値に基づいて、機内タンクＱＴに貯留された水が所定量を下回り、残量が不足する可能性がある状態であることを検出する。また、検出部２５は、所定のセンサーから入力される検出値に基づいて、給紙カセット１１に収容可能な古紙の最大量に対する、古紙の残量の割合（以下、「古紙残量割合」という。）を検出する。また、検出部２５は、所定のセンサーから入力される検出値に基づいて、各色の樹脂カートリッジＫＴについて、樹脂カートリッジＫＴに貯留された樹脂の残量が所定量を下回り、残量が不足する可能性がある状態であることを検出する。また、検出部２５は、廃粉袋ＨＨに貯留された廃粉が所定量を上回り、廃粉袋ＨＨを交換する必要がある状態であることを検出する。
【００３３】
供給部３１は、上述した供給工程Ｋ１を実行する機能部である。供給部３１は、給紙カセット１１、給紙カセット１１に収容された古紙を搬送する搬送機構、その他の供給工程Ｋ１を実行するために必要な要素を備え、制御部２０の制御で、供給工程Ｋ１を実行する。
粗砕部３２は、上述した粗砕工程Ｋ２を実行する機能部である。粗砕部３２は、古紙を空気中で切断する切断機構、その他の粗砕工程Ｋ２を実行するために必要な要素を備え、制御部２０の制御で、粗砕工程Ｋ２を実行する。
解繊部３３は、上述した解繊工程Ｋ３を実行する機能部である。解繊部３３は、粗砕工程Ｋ２で裁断された原料を繊維状に解きほぐす解繊機構、その他の解繊工程Ｋ３を実行するために必要な要素を備え、制御部２０の制御で、解繊工程Ｋ３を実行する。
選別部３４は、上述した選別工程Ｋ４を実行する機能部である。選別部３４は、解繊物からから不純物を選別し取り除き、廃粉袋ＨＨに排出する選別機構、その他の選別工程Ｋ４を実行するために必要な要素を備え、制御部２０の制御で、選別工程Ｋ４を実行する。
ほぐし部３５は、上述したほぐし工程Ｋ５を実行する機能部である。ほぐし部３５は、解繊物をほぐすほぐし機構、その他のほぐし工程Ｋ５を実行するために必要な要素を備え、制御部２０の制御で、ほぐし工程Ｋ５を実行する。
混合部３６は、上述した混合工程Ｋ６を実行する機能部である。混合部３６は、樹脂カートリッジＫＴや、所定の樹脂カートリッジＫＴから所定の樹脂を供給する機構、解繊物と樹脂とを混合する機構等の、混合工程Ｋ６を実行するために必要な要素を備え、制御部２０の制御で、混合工程Ｋ６を実行する。
堆積部３７は、上述した堆積工程Ｋ７を実行する機能部である。堆積部３７は、混合物を堆積し、搬送する機構、その他の堆積工程Ｋ７を実行するために必要な要素を備え、制御部２０の制御で、堆積工程Ｋ７を実行する。
シート形成部３８は、上述したシート形成工程Ｋ８を実行する機能部である。シート形成部３８は、堆積されて搬送される混合部を加圧、加熱する機構、その他のシート形成工程Ｋ８を実行するために必要な要素を備え、制御部２０の制御で、シート形成工程Ｋ８を実行する。
切断部３９は、上述した切断工程Ｋ９を実行する機能部である。切断部３９は、カット前シートを切断する切断機構、その他の切断工程Ｋ９を実行するために必要な要素を備え、制御部２０の制御で、切断工程Ｋ９を実行する。
排紙部４０は、上述した排紙工程Ｋ１０を実行する機能部である。排紙部４０は、排紙トレイ１２、排紙トレイ１２にシートを排出する機構、その他の排紙工程Ｋ１０を実行するために必要な要素を備え、制御部２０の制御で、排紙工程Ｋ１０を実行する。
加湿部４１は、上述した加湿工程Ｋ１１を実行する機能部である。加湿部４１は、機内タンク、機内タンクから水が供給されて加湿する加湿器、その他の加湿工程Ｋ１１を実行するために必要な要素を備え、制御部２０の制御で、加湿工程Ｋ１１を実行する。
【００３４】
以上のように、シート製造装置１は、複数の工程を、順次、実行することにより、シートを製造する。また、ユーザーは、シート製造装置１が各工程を正常に実行するために、必要な作業（機内タンクへの水の供給や、廃粉袋ＨＨの交換、エラーの解消に係る作業等。）を行う必要がある。
これを踏まえ、本実施形態に係るシート製造装置１の制御部２０は、タッチパネル５に、シート製造装置１の特性を踏まえたユーザーインターフェースを、適宜、表示し、ユーザーの利便性を向上する。
以下、シート製造装置１のタッチパネル５に表示されるユーザーインターフェース、及び、ユーザーインターフェースの表示に際し制御部２０が実行する処理について、ユーザーが行うべき作業と併せて詳述する。
【００３５】
なお、以下の説明において、タッチ操作ボタンとは、ユーザーインターフェースに表示されるタッチ操作可能な操作ボタンをいう。
また、時刻については、２４時制で、「００：００」や、「１３：０５」のように表す。
また、シート製造装置１のブレーカースイッチ８及び電源スイッチ７がオンされてから、シート製造装置１がシャットダウンするまでの期間を「電源投入期間」という。
また、以下の説明で、特に説明をしない場合においても、ユーザーインターフェースを表示すると共に、ユーザーインターフェースに画像、情報、その他のオブジェクトを表示し、また、１のユーザーインターフェースを他のユーザーインターフェースに遷移する主体は、制御部２０である。
【００３６】
図４は、ブレーカースイッチ８がオンされた後に、タッチパネル５に表示される第１ユーザーインターフェースＵＩ１を示す図である。
ここで、ブレーカースイッチ８がオンされると、ＢＩＯＳ（Basic Input/Output System）や、ブートローダーの機能により、ＯＳ（Operating System）、その他のプログラム（ファームウェアや、所定のアプリケーション等。）が起動する。そして、第１ユーザーインターフェースＵＩ１は、プログラムが起動中であること、及び、プログラムの起動の進捗状況を表すユーザーインターフェースである。
図４に示すように、第１ユーザーインターフェースＵＩ１は、プログラムの起動の進捗状況を表すプログレスバーＰＢ１を有する。プログレスバーＰＢ１は、左右方向に延びる矩形の枠内で、進捗状況に応じて、左から右へ向かってバーが延伸することにより、プログラムの起動の進捗状況を表す。
図４に示すように、第１ユーザーインターフェースＵＩ１において、プログレスバーＰＢ１の下方には、プログラムが起動中であることを示す文言ＭＳ１ａ（「起動処理中」。）、及び、電源を切らないことについて注意を促す文言ＭＳ１ｂ（「電源を切らないでください」。）が表示される。ユーザーは、プログレスバーＰＢ１、及び、文言ＭＳ１ａ、ＭＳ１ｂを参照することにより、プログラムが起動中であること、プログラムの起動の進捗状況、及び、現段階で注意すべきことを、簡易に的確に認識できる。
制御部２０は、ブレーカースイッチ８がオンされたことを検出すると、タッチパネル制御部２１を制御して、タッチパネル５に第１ユーザーインターフェースＵＩ１を表示する。制御部２０は、プログラムの起動が完了したことを検出すると、タッチパネル制御部２１を制御して、第１ユーザーインターフェースＵＩ１に代えて、第２ユーザーインターフェースＵＩ２をタッチパネル５に表示する。
【００３７】
図５は、第２ユーザーインターフェースＵＩ２を示す図である。
ここで、ユーザーは、シート製造装置１を動作させるために、ブレーカースイッチ８をオンしてプログラムを起動させた後、電源スイッチ７をオンする必要がある。そして、第２ユーザーインターフェースＵＩ２は、電源スイッチ７をオンすることを促すユーザーインターフェースである。
図５に示すように、第２ユーザーインターフェースＵＩ２には、シート製造装置１の正面図を表す画像ＩＭ２が表示される。図５に示すように、第２ユーザーインターフェースＵＩ２において、画像ＩＭ２の下方には、電源スイッチ７をオンすることを促す文言ＭＳ２（「パワーオンボタンを押してください」。）が表示される。画像ＩＭ２と対応付けて、電源スイッチ７を明示する情報、画像を表示してもよい。
文言ＭＳ２の下方には、シャットダウンボタンＳＢ２が表示される。シャットダウンボタンＳＢ２は、シャットダウンを指示するタッチ操作ボタンである。
ユーザーは、文言ＭＳ２を参照することにより、電源スイッチ７をオンすべきことを簡易に的確に認識できる。また、ユーザーは、所定の事情により、シート製造装置１を動作させないことにした場合、シャットダウンボタンＳＢ２をタッチ操作するという簡易な作業を行うことにより、シャットダウンさせることができる。
制御部２０は、電源スイッチ７がオンされたことを検出すると、初期化処理（後述）を実行する。また、制御部２０は、電源スイッチ７がオンされたことを検出すると、タッチパネル制御部２１を制御して、第２ユーザーインターフェースＵＩ２に代えて、第３ユーザーインターフェースＵＩ３をタッチパネル５に表示する。
制御部２０は、シャットダウンボタンＳＢ２がタッチ操作されたことを検出すると、各部を制御して、シャットダウンに必要な処理を実行し、シート製造装置１をシャットダウンする。
【００３８】
図６は、第３ユーザーインターフェースＵＩ３を示す図である。
上述したように、電源スイッチ７がオンされたことを検出した場合、制御部２０は、初期化処理を実行する。初期化処理とは、シート製造装置１が動作を開始可能な状態とするために、ソフトウェア、及び、ハードウェアを初期状態とする処理である。そして、第３ユーザーインターフェースＵＩ３は、初期化処理を実行中であることを表すユーザーインターフェースである。
図６に示すように、第３ユーザーインターフェースＵＩ３は、初期化処理の進捗状況を表すプログレスバーＰＢ３を有する。
図６に示すように、第３ユーザーインターフェースＵＩ３において、プログレスバーＰＢ３の下方には、初期化処理を実行中であることを示す文言ＭＳ３（「装置を初期化しています／しばらくお待ちください」。）（「／」は、改行を表す。以下、同じ。）が表示される。ユーザーは、プログレスバーＰＢ３、及び、文言ＭＳ３を参照することにより、初期化処理を実行中であり、しばらく待機すべきことを、簡易に的確に認識できる。
制御部２０は、初期化処理が完了したことを検出すると、タッチパネル制御部２１を制御して、第３ユーザーインターフェースＵＩ３に代えて、第４ユーザーインターフェースＵＩ４をタッチパネル５に表示する。
【００３９】
図７は、第４ユーザーインターフェースＵＩ４を示す図である。
ここで、初期化処理が完了した後、ユーザーは、シート製造装置１の機内タンクＱＴに対して給水を行う必要がある。そして、第４ユーザーインターフェースＵＩ４は、機内タンクＱＴへの給水を行う必要があること、及び、給水の手順を表すユーザーインターフェースである。
図７に示すように、第４ユーザーインターフェースＵＩ４は、領域として、上端部において左右方向に延在する帯状の領域（以下、「状態表示領域」という。）と、状態表示領域の下方に設けられた領域「以下、「情報表示領域」という。」とを有する。
状態表示領域は、現時点のシート製造装置１の状態や、現時点でシート製造装置１により行われている処理、現時点でユーザーが行うべき作業等を示す情報が、簡潔な文言によって表示される領域である。以下、状態表示領域に表示される情報のうち、現時点のシート製造装置１の状態や、現時点でシート製造装置１により行われている処理、現時点でユーザーが行うべき作業等を示す情報を、「状態情報」と表現する。
情報表示領域は、ユーザーインターフェースに応じた情報が表示される領域である。
【００４０】
第４ユーザーインターフェースＵＩ４は、状態表示領域ＨＲ４（状態表示領域）と、情報表示領域ＪＲ４（情報表示領域）とを有する。
第４ユーザーインターフェースＵＩ４が表示された時点においては、ユーザーは、給水を行う必要がある。これを踏まえ、第４ユーザーインターフェースＵＩ４の状態表示領域ＨＲ４には、ユーザーが給水を行う必要があることを示す状態情報ＪＪ４（「給水確認」。）が表示される。
【００４１】
本実施形態では、特定のユーザーインターフェースを除く複数のユーザーインターフェース（例えば、後述する第５ユーザーインターフェースＵＩ５。）について、第４ユーザーインターフェースＵＩ４における状態表示領域ＨＲ４の位置と同様の位置に状態表示領域が設けられ、状態表示領域に状態情報が表示される。これにより、以下の効果を奏する。すなわち、ユーザーは、現時点におけるシート製造装置１の状態等を認識したい場合、タッチパネル５に対する操作等を行うことなく、ユーザーインターフェースに表示された状態表示領域の状態情報を参照することにより、簡易かつ的確に認識できる。特に、状態表示領域は、各ユーザーインターフェースにおいて、同様の位置に設けられるため、ユーザーは、ユーザーインターフェースによって視認する場所を変更することなく、統一的に状態表示領域を参照することにより、現時点におけるシート製造装置１の状態等を認識できる。
【００４２】
図７に示すように、第４ユーザーインターフェースＵＩ４の情報表示領域ＪＲ４には、シート製造装置１の正面図を表す画像ＩＭ４ａが表示される。また、第４ユーザーインターフェースＵＩ４には、画像ＩＭ４ａにおける前カバー９の位置と関連付けて、前カバー９を拡大した画像ＩＭ４ｂが表示される。
図７に示すように、第４ユーザーインターフェースＵＩ４において、画像ＩＭ４ａの下方には、給水を行う必要があることを示す文言ＭＳ４ａ（「給水を開始します」）が表示される。文言ＭＳ４ａの下方には、給水の手順を示す文言ＭＳ４ｂ（「容器に水を汲んでから・・・／給水ボタンを押すと・・・／待機中になったら・・・」。）が表示される。
文言ＭＳ４ｂの下方には、シャットダウンボタンＳＢ４が表示される。
ユーザーは、文言ＭＳ４ａを参照することにより、給水を行うべきことを簡易に認識できる。また、ユーザーは、文言ＭＳ４ｂを参照することにより、給水の手順を簡易に認識できる。特に、給水の手順には、前カバー９を開ける作業、及び、前カバー９を閉じる作業が含まれるが、画像ＩＭ４ａ、及び、画像ＩＭ４ｂにより、シート製造装置１における前カバー９の位置が明示されるため、ユーザーは、文言ＭＳ４ｂと併せて画像ＩＭ４ａ及び画像ＩＭ４ｂを参照することにより、給水に必要な作業を的確に認識できる。なお、前カバー９のロックの解除、及び、ロックは、制御部２０により適切なタイミングで適切に実行される。
また、ユーザーは、所定の事情により、シート製造装置１を動作させないことにした場合、シャットダウンボタンＳＢ４をタッチ操作するという簡易な作業を行うことにより、シャットダウンさせることができる。
制御部２０は、給水が完了したことを検出すると、タッチパネル制御部２１を制御して、第４ユーザーインターフェースＵＩ４に代えて、第５ユーザーインターフェースＵＩ５をタッチパネル５に表示する。
制御部２０は、シャットダウンボタンＳＢ４がタッチ操作されたことを検出すると、各部を制御して、シャットダウンに必要な処理を実行し、シート製造装置１をシャットダウンする。
【００４３】
図８は、第５ユーザーインターフェースＵＩ５を示す図である。
図８は、特に、給水の完了に応じて、第４ユーザーインターフェースＵＩ４に代えて表示される第５ユーザーインターフェースＵＩ５を示す。後に明らかとなるとおり、第５ユーザーインターフェースＵＩ５は、電源投入期間、メインのユーザーインターフェースとして、適宜、タッチパネル５に表示される。
図８に示すように、第５ユーザーインターフェースＵＩ５は、状態表示領域ＨＲ５と、情報表示領域ＪＲ５とを有する。
図８で示す状態表示領域ＨＲ５には、シート製造装置１がシートを製造する処理を実行してないことを示す状態情報ＪＪ５（「待機中」。）（装置本体の状態に関する状態情報。）（シートを製造する処理を実行中か否かを示す情報。）が表示される。ユーザーは、状態表示領域ＨＲ５に表示された状態情報ＪＪ５を参照することにより、現時点のシート製造装置１の状態を簡易に認識できる。
さらに、第５ユーザーインターフェースＵＩ５の状態表示領域ＨＲ５には、運転時間情報ＫＪ５（運転時間情報）が表示される。運転時間情報は、直近でブレーカースイッチ８及び電源スイッチ７がオンされた後に、シート製造装置１がシートを製造する処理を実行した累計の時間を示す情報である。ユーザーは、第５ユーザーインターフェースＵＩ５の運転時間情報ＫＪ５を参照することにより、当該累計の時間を簡易に的確に認識できる。
なお、運転時間情報の内容は、本実施形態に係る運転時間情報の内容に限らない。例えば、運転時間情報は、直近でブレーカースイッチ８及び電源スイッチ７をオンした後に経過した時間の長さを示す情報でもよい。また例えば、運転時間情報は、電源スイッチ７のオン、オフにかかわらず、特定の時点（例えば、直近の「００：００」）から現時点までの間に、シート製造装置１がシートを製造する処理を実行した累計の時間を示す情報でもよい。また例えば、運転時間情報は、現時点が属する電源投入期間の１つ前の電源投入期間におけるシート製造装置１がシートを製造する処理を実行した累計の時間を示す情報でもよい。また例えば、運転時間情報は、現時点が属する電源投入期間の１つ前の電源投入期間の長さを示す情報でもよい。
運転時間情報は、シート製造装置１の状態を示す情報であり、状態情報に相当する。
【００４４】
図８に示すように、状態表示領域ＨＲ５には、メニューボタンＭＢ５が表示される。メニューボタンＭＢ５はタッチ操作ボタンである。制御部２０は、メニューボタンＭＢ５がタッチ操作されたことを検出した場合、メニュー画面ＭＧ（図１３）を表示する。メニュー画面ＭＧについては後述する。
【００４５】
図８に示すように、第５ユーザーインターフェースＵＩ５の情報表示領域ＪＲ５は、表示される情報の内容に応じた３つのブロックから構成される。具体的には、情報表示領域ＪＲ５は、右端部に位置し、上下方向に延在する第１ブロックＢＫ５ａと、第１ブロックＢＫ５ａの左方の領域の下部に位置する第２ブロックＢＫ５ｂと、第１ブロックＢＫ５ａの左方の領域において、第２ブロックＢＫ５ｂの上方に位置する第３ブロックＢＫ５ｃとから構成される。
なお、状態表示領域ＨＲ５は、情報の内容に応じて区分けされた領域であり、１つのブロックである。
【００４６】
第１ブロックＢＫ５ａは、シート製造装置１に供給される原料に関する原料情報、及び、シート製造装置１が製造するシートに関する製造情報を含む情報が表示されるブロックである。
図８に示すように、第１ブロックＢＫ５ａの上部には、円状の画像である製造情報画像ＯＢ５ａが表示される。製造情報画像ＯＢ５ａは、タッチ操作ボタンとしても機能し、タッチ操作により、当該画像に表示される情報を第１製造情報（後述）と、第２製造情報（後述）との間で切り替えることが可能である。第１製造情報、及び、第２製造情報は、「製造情報」に相当する。
また、製造情報画像ＯＢ５ａの下方には、製造情報画像ＯＢ５ａと関連付けて、製造情報画像ＯＢ５ａに製造情報が表示されることを示す情報ＪＨ５ａ（「生産枚数」。）が表示される。
【００４７】
製造情報画像ＯＢ５ａには、第１製造情報として、シート製造装置１の状態に応じて、以下の情報が表示される。すなわち、電源スイッチ７がオンされた後、シート製造装置１が１度もシートの製造を開始してない場合、製造情報画像ＯＢ５ａには、第１製造情報として、現時点が属する電源投入期間の１つ前の電源投入期間においてシート製造装置１が製造したシートの累計の枚数を示す情報（所定の期間で製造されたシートの枚数に関する情報。）が表示される。ユーザーは、製造情報画像ＯＢ５ａに表示された第１製造情報を参照することにより、現時点が属する電源投入期間の１つ前の電源投入期間において製造されたシートの枚数を認識することができ、また、現時点が属する電源投入期間において製造するシートの枚数の目安として利用することができる。
一方、電源スイッチ７がオンされた後、シート製造装置１がシートの製造を開始した後は、製造情報画像ＯＢ５ａには、第１製造情報として、現時点が属する電源投入期間において、シート製造装置１が、現時点までに製造したシートの累計の枚数を示す情報（供給された原料に基づくシートの製造を開始した後に製造されたシートの枚数に関する情報。）が表示される。ユーザーは、製造情報画像ＯＢ５ａに表示された第１製造情報を参照することにより、現時点までに製造されたシートの枚数を簡易に認識することができ、また、製造を停止するか否かを判断する際に利用できる。
【００４８】
また、製造情報画像ＯＢ５ａには、第２製造情報として、以下の情報が表示される。すなわち、製造情報画像ＯＢ５ａには、特定の時点（例えば、直近の「００：００」）から現時点までの間に、シート製造装置１が製造したシートの累計の枚数を示す情報（所定の期間で製造されたシートの枚数に関する情報。）が表示される。ユーザーは、製造情報画像ＯＢ５ａに表示された第２製造情報を参照することにより、特定の時点から現時点までに、シート製造装置１が製造したシートの累計の枚数を簡易に認識することができる。例えば、特定の時点が「直近の「００：００」」である場合、ユーザーは、現時点が属する「日」において、現時点までに、シート製造装置１が製造したシートの累計の枚数を認識することができる。
上述したように、ユーザーは、製造情報画像ＯＢ５ａに表示される情報を、製造情報画像ＯＢ５ａをタッチ操作するという簡易な作業により、第１製造情報と第２製造情報との間で切り替えることができる。
【００４９】
なお、製造情報が、他の情報を含む構成でもよい。例えば、製造情報は、自動停止枚数（後述。）に対して、現時点で製造したシートの枚数の割合を示す情報を含んでもよい。
【００５０】
図８に示すように、第１ブロックＢＫ５ａにおいて、製造情報画像ＯＢ５ａの下方には、円状の画像である原料情報画像ＯＢ５ｂが表示される。原料情報画像ＯＢ５ｂは、タッチ操作ボタンとしても機能し、タッチ操作により、当該画像に表示される情報を第１原料情報（後述）と、第２原料情報（後述）との間で切り替えることが可能である。第１原料情報、及び、第２原料情報は、「原料情報」に相当する。
また、原料情報画像ＯＢ５ｂの下方には、原料情報画像ＯＢ５ｂと関連付けて、原料情報画像ＯＢ５ｂに原料情報が表示されることを示す情報ＪＨ５ｂが表示される。特に、原料情報画像ＯＢ５ｂに第１原料情報が表示される場合、情報ＪＨ５ｂは、原料情報画像ＯＢ５ｂに第１原料情報が表示されることを示す情報（「給紙カセット１１残量」。図８参照。）である。一方、原料情報画像ＯＢ５ｂに第２原料情報が表示される場合、情報ＪＨ５ｂは、原料情報画像ＯＢ５ｂに第２原料情報が表示されることを示す情報（「給紙枚数」。図９参照。）である。
【００５１】
図８は、原料情報画像ＯＢ５ｂに第１原料情報が表示された状態の第５ユーザーインターフェースＵＩ５を示す。
図８に示すように、原料情報画像ＯＢ５ｂには、第１原料情報として、以下の情報が表示される。すなわち、原料情報画像ＯＢ５ｂには、第１原料情報として、上述した古紙残量割合（給紙カセット１１に収容可能な古紙の最大量に対する、古紙の残量の割合。）を、パーセンテージで表す情報（原料の残量に関する情報。）が表示される。また、原料情報画像ＯＢ５ｂに第１原料情報が表示された状態の場合、原料情報画像ＯＢ５ｂには、原料情報画像ＯＢ５ｂの外周に沿って、古紙残量割合を表すプログレスバーＰＢ５が表示される。ユーザーは、原料情報画像ＯＢ５ｂに表示された第１原料情報、及び、プログレスバーＰＢ５を参照することにより、古紙残量割合を簡易かつ的確に、また、直感的に認識できる。
【００５２】
図９は、原料情報画像ＯＢ５ｂに第２原料情報が表示された状態の第５ユーザーインターフェースＵＩ５を示す。
図９に示すように、原料情報画像ＯＢ５ｂには、第２原料情報として、以下の情報が表示される。すなわち、原料情報画像ＯＢ５ｂには、特定の時点（例えば、直近の「００：００」）から現時点までの間に、シート製造装置１に供給され消費された古紙の累計の枚数を示す情報（所定の期間で供給され消費された原料の量に関する情報。）が表示される。ユーザーは、原料情報画像ＯＢ５ｂに表示された第２原料情報を参照することにより、特定の時点から現時点までに、シート製造装置１に供給され消費された古紙の累計の枚数を簡易に的確に認識することができる。例えば、特定の時点が「直近の「００：００」」である場合、ユーザーは、現時点が属する「日」において、現時点までに、シート製造装置１に供給され消費された古紙の累計の枚数を認識することができる。
【００５３】
なお、原料情報が、他の情報を含む構成でもよい。例えば、原料情報は、現時点が属する電源投入期間の１つ前の電源投入期間においてシート製造装置１が消費した古紙の累計の枚数を示す情報を含んでもよく、また、現時点が属する電源投入期間において、シート製造装置１が、現時点までに消費した古紙の累計の枚数を示す情報（供給された原料に基づくシートの製造を開始した後に消費した原料の量に関する情報。）を含んでもよい。
【００５４】
本実施形態では、製造情報（製造情報画像ＯＢ５ａに表示される情報）と、原料情報（原料情報画像ＯＢ５ｂに表示される情報）とが、同一のブロック（第１ブロックＢＫ５ａ）に表示される。これにより、以下の効果を奏する。すなわち、原料情報はシート製造装置１に供給される古紙に関する情報であり、製造情報はシート製造装置１に供給された古紙を加工して製造したシートに関する情報であり、原料情報の内容と製造情報の内容とは密接に関連している。このため、ユーザーは、原料情報と、製造情報とを同時に参照し、これら情報の内容を比較することを望むものと想定される。以上を踏まえ、製造情報と、原料情報とが、同一のブロックに表示されることにより、ユーザーは、製造情報と原料情報とが関連する情報であることを的確に認識できると共に、これら情報を同時に参照し、これら情報の内容を的確に比較することができる。
【００５５】
図８に示すように、第１ブロックＢＫ５ａにおいて、原料情報画像ＯＢ５ｂの下方には、運転開始ボタンＵＢ５が表示される。運転開始ボタンＵＢ５は、シートを製造する処理の開始を指示するタッチ操作ボタンである。運転開始ボタンＵＢ５がタッチ操作されたことを検出した場合、制御部２０は、各部を制御して、古紙を原料とするシートの製造を開始する。
運転開始ボタンＵＢ５がタッチ操作された場合にタッチパネル５に表示されるユーザーインターフェース、及び、制御部２０の処理の詳細については後述する。
【００５６】
第５ユーザーインターフェースＵＩ５において、第３ブロックＢＫ５ｃは、警告に関する警告情報ＷＪ５（警告情報）が一覧表示されるブロックである。
警告情報ＷＪ５は、シートを製造する処理を正常に実行するためにユーザーに行う要求を示す情報や、シート製造装置１で発生したエラーを示す情報等である。
第３ブロックＢＫ５ｃには、警告情報ＷＪ５ごとに、横長の矩形の項目画像ＫＧ５が上下方向に並んで表示されると共に、項目画像ＫＧ５のそれぞれに、警告情報ＷＪ５が表示される。また、項目画像ＫＧ５のそれぞれの左部には、ユーザーに注意を促すマークＭＫ５が表示される。項目画像ＫＧ５のそれぞれは、タッチ操作ボタンであり、タッチ操作されると、項目画像ＫＧ５に表示された警告情報ＷＪ５に関する詳細な情報が表示される。
ユーザーは、第３ブロックＢＫ５ｃに一覧表示された警告情報ＷＪ５を参照することにより、簡易かつ的確に警告を認識することができ、当該認識に基づいて、対応する作業を行うことができる。
また、ユーザーは、一覧表示された警告情報ＷＪ５のうち、詳細な情報を参照したい情報がある場合、対応する項目画像ＫＧ５をタッチ操作する。制御部２０は、いずれかの項目画像ＫＧ５がタッチ操作されたことを検出すると、タッチ操作された項目画像ＫＧ５に表示された警告情報ＷＪ５に関する詳細な情報が表示された第６ユーザーインターフェースＵＩ６を、ポップアップにより表示する。
【００５７】
図１０は、第６ユーザーインターフェースＵＩ６を示す図である。
図１０に示すように、第６ユーザーインターフェースＵＩ６の上部には、ユーザーにより選択された警告情報ＷＪ５が示す警告の種類を示す警告種類情報ＫＭ６（「ワーニング」。）が表示される。ユーザーは、警告種類情報ＫＭ６を参照することにより、警告の種類を簡易かつ的確に認識できる。
第６ユーザーインターフェースＵＩ６において、警告種類情報ＫＭ６の下方には、ユーザーに注意を促すマークＭＫ６と対応付けて、警告を一意に識別する情報と、警告の内容を端的な文言によって表す情報とを含む情報ＪＨ６が表示される。ユーザーは、情報ＪＨ６を参照することにより、警告の内容を簡易かつ的確に認識できる。また、ユーザーは、情報ＪＨ６に含まれる警告を一意に識別する情報を用いて、シート製造装置１のメンテナンサー等に問い合わせを行うことができる。
図１０に示すように、第６ユーザーインターフェースＵＩ６において、情報ＪＨ６の下方には、シート製造装置１の正面図を表す画像ＩＭ６が表示され、画像ＩＭ６の右方には、ユーザーに選択された警告情報ＷＪ５の詳細を表す文言ＭＳ６が表示される。警告が、シート製造装置１における特定の場所を明示した方が理解しやすい場合、画像ＩＭ６と対応付けて、当該特定の場所を明らかにする情報、画像、その他のオブジェクトが表示される。
ユーザーは、画像ＩＭ６、及び、文言ＭＳ６を参照することにより、選択した警告情報ＷＪ５に対応する警告の詳細を、簡易かつ的確に認識できる。
【００５８】
図８に示すように、第５ユーザーインターフェースＵＩ５において、第２ブロックＢＫ５ｂは、シートの加工に関する加工情報を含む情報が表示されるブロックである。
図８に示すように、第２ブロックＢＫ５ｂは、領域として、左部に形成されたタブ表示領域ＴＲ５（タブ表示領域）と、右部に形成された対応情報表示領域ＲＲ５（タブ対応表示領域）とを有する。
タブ表示領域ＴＲ５は、択一的に選択可能な３つのタブＴＢ５ａ、ＴＢ５ｂ、ＴＢ５ｃが表示される領域である。対応情報表示領域ＲＲ５は、タブ表示領域ＴＲ５で選択されたタブに対応する情報が表示される領域である。
【００５９】
図８は、タブＴＢ５ａが選択された状態の第５ユーザーインターフェースＵＩ５を示す。
タブＴＢ５ａは、対応情報表示領域ＲＲ５に、選択されたレシピ（後述）に関するレシピ関連情報ＲＰ５（レシピ関連情報）（加工情報）の表示を指示するタブである。従って、タブＴＢ５ａが選択された場合、対応情報表示領域ＲＲ５には、レシピ関連情報ＲＰ５が表示される。
以下、「レシピ」について説明し、次いで、レシピ関連情報ＲＰ５について説明する。
【００６０】
レシピとは、シート製造装置１がシートを製造する際の設定であり、複数の設定項目と、各設定項目に対応する設定値からなる。シート製造装置１は、シートの製造に際し、レシピに従って、処理を実行する。後に明らかとなるとおり、本実施形態では、レシピとして、ユーザーは、事前にレシピ１〜レシピ１０の１０個のレシピを登録でき、また、１０個のレシピからシートの製造に用いる１つのレシピを選択できる。
本実施形態では、レシピの設定項目として、自動停止枚数設定項目と、用紙サイズ設定項目と、用紙種類設定項目と、用紙厚さ設定項目と、色設定項目と、がある。
自動停止枚数設定項目は、設定値として、自動停止枚数が対応付けられる設定項目である。自動停止枚数とは、シート製造装置１がシートの製造を開始した後、連続して製造するシートの枚数のことである。制御部２０は、シートの製造を開始した後、自動停止枚数分のシートの製造が完了した場合、自動で、シートを製造する処理を停止する。
用紙サイズ設定項目は、設定値として、用紙サイズが対応付けられる設定項目である。用紙サイズとは、シート製造装置１が製造するシートのサイズのことである。本実施形態では、用紙サイズとして、「Ａ４」と、「Ａ３」とがある。用紙サイズとして他のサイズ（例えば、「Ｂ５」。）が存在する構成でもよい。
【００６１】
用紙種類設定項目は、設定値として、用紙種類が対応付けられる設定項目である。用紙種類とは、シート製造装置１が製造するシートの種類である。本実施形態では、用紙種類として、「普通紙（白紙）」と、「普通紙（色紙）」と、「厚紙（白紙）」と、「厚紙（色紙）」と、がある。
ここで、本実施形態において、シート製造装置１が製造するシートについて、「普通紙」とは、シートの厚さが、後述する厚紙の厚さよりも薄い所定の厚さの紙をいう。普通紙は、厚紙と比較して柔軟性がある。また、シート製造装置１が製造するシートについて、「厚紙」とは、シートの厚さが、普通紙よりも厚い紙をいう。後に明らかとなるとおり、ユーザーは、シート製造装置１が製造するシートの厚さを調整できる。
また、シート製造装置１が製造するシートについて、「白紙」とは、シートの色が白色、又は、白色に準じた色の紙をいう。以下、製造されるシートの色に関し、白色、及び、白色の準じた色のことを、単に、「白色」という。後に明らかとなるとおり、ユーザーは、シート製造装置１が製造する白紙の白色の度合いを調整できる。
また、シート製造装置１が製造するシートについて、「色紙」とは、シートの色が白色以外の色の紙であって、シアン、マゼンタ、又は、イエローのいずれかの色の樹脂を用いて着色された紙をいう。後に明らかとなるとおり、ユーザーは、シート製造装置１が製造する色紙の色を調整できる。
用紙種類：「普通紙（白紙）」は、シート製造装置１により製造されるシートについて、普通紙と白紙との組み合わせに対応する種類である。
用紙種類：「普通紙（色紙）」は、シート製造装置１により製造されるシートについて、普通紙と色紙との組み合わせに対応する種類である。
用紙種類：「厚紙（白紙）」は、シート製造装置１により製造されるシートについて、厚紙と白紙との組み合わせに対応する種類である。
用紙種類：「厚紙（色紙）」は、シート製造装置１により製造されるシートについて、厚紙と色紙との組み合わせに対応する種類である。
【００６２】
用紙厚さ設定項目は、設定値として、用紙厚さが対応付けられる設定項目である。用紙厚さとは、シート製造装置１が製造するシートの厚さのレベルである。本実施形態では、用紙厚さは、レベル１〜レベル１０の１０段階のレベルの何れかの値である。なお、各レベルについて、レベル１が最も薄く、レベル１０が最も厚く、レベル１からレベル１０に向かって、段階的に厚さが大きい。
色設定項目は、設定値として、色設定値が対応付けられる設定項目である。
色設定値は、製造するシートが「色紙」の場合は、イエロー、マゼンタ、シアンのそれぞれの色について、シートの製造に際して、上述した混合工程Ｋ６において所定の量の原料に対して供給される樹脂の量を、「０」〜「４」の値によって表す設定値である。以下、イエローの樹脂の供給量を表す「０」〜「４」の値をイエロー値といい、マゼンタの樹脂の供給量を表す「０」〜「４」の値をマゼンタ値といい、シアンの樹脂の供給量を表す「０」〜「４」の値をシアン値という。
また、色設定値は、製造するシートが「白紙」の場合は、白色について、シートの製造に際して上述した混合工程Ｋ６において所定の量の原料に対して供給される白色の樹脂の量を、「０」〜「４」の値によって表す設定値である。以下、白色の樹脂の供給量を表す「０」〜「４」の値を白色値という。
【００６３】
図８に示すように、タブＴＢ５ａに係る対応情報表示領域ＲＲ５には、現時点で選択されたレシピを明示する情報ＪＨ５ｈ（「レシピ１」。）が表示される。また、タブＴＢ５ａに係る対応情報表示領域ＲＲ５には、レシピ関連情報ＲＰ５として、上述した５つの設定項目のそれぞれについて、設定項目を示す情報と、設定値とが対応付けて表示される。すなわち、タブＴＢ５ａに係る対応情報表示領域ＲＲ５には、自動停止枚数設定項目を示す情報ＪＨ５ｃ（「自動停止枚数」。）と対応付けて自動停止枚数（「設定なし」。）が表示され、用紙サイズ設定項目を示す情報ＪＨ５ｄ（「用紙サイズ」。）と対応付けて用紙サイズ（「Ａ４」。）が表示され、用紙種類設定項目を示す情報ＪＨ５ｅ（「用紙種類」。）と対応付けて用紙種類（「普通紙（色紙）」。）が表示され、用紙厚さ設定項目を示す情報ＪＨ５ｆ（「厚さ」。）と対応付けて用紙厚さ（「レベル２」。）が表示される。
また、タブＴＢ５ａに係る対応情報表示領域ＲＲ５には、用紙種類が「普通紙（色紙）」又は「厚紙（色紙）」であり、シート製造装置１が製造するシートが「色紙」の場合は、色設定項目を示す情報ＪＨ５ｇ（「色設定」。）と対応付けてイエロー値、マゼンタ値、及び、シアン値が表示される。図８は、イエロー値、マゼンタ値、及び、シアン値が表示された第５ユーザーインターフェースＵＩ５を示す。一方、タブＴＢ５ａに係る対応情報表示領域ＲＲ５には、用紙種類が「普通紙（白紙）」又は「厚紙（白紙）」であり、シート製造装置１が製造するシートが「白紙」の場合は、色設定項目を示す情報ＪＨ５ｇと対応付けて白色値が表示される。
ユーザーは、タブＴＢ５ａに係る対応情報表示領域ＲＲ５を参照することにより、選択したレシピの内容、具体的には、選択したレシピにおける全ての設定項目の項目値を簡易かつ的確に認識できる。
【００６４】
図１１は、タブＴＢ５ｂが選択された状態の第５ユーザーインターフェースＵＩ５を示す。
タブＴＢ５ｂは、対応情報表示領域ＲＲ５への、給紙、及び、排紙に関する給紙／排紙情報ＫＨ５（給紙／排紙情報）の表示を指示するタブである。従って、タブＴＢ５ｂが選択された場合、対応情報表示領域ＲＲ５には、給紙／排紙情報ＫＨ５が表示される。
給紙／排紙情報ＫＨ５は、古紙が供給される供給元のユニット（以下、「給紙ユニット」という。）を示す情報と、製造されたシートが排紙される排紙先のユニット（以下、「排紙ユニット」という。）を示す情報とを含む。後に明らかとなるとおり、ユーザーは、給紙ユニット、及び、排紙ユニットのそれぞれについて、シート製造装置１に装着されたユニットに応じて、必要な設定を行うことができる。
ユーザーは、給紙／排紙情報ＫＨ５を参照することにより、給紙ユニット、及び、排紙ユニットを簡易かつ的確に認識できる。
【００６５】
図１２は、タブＴＢ５ｃが選択された状態の第５ユーザーインターフェースＵＩ５を示す。
タブＴＢ５ｃは、対応情報表示領域ＲＲ５への、消耗品に関する消耗品情報ＳＪ５（消耗品情報）（加工情報）の表示を指示するタブである。従って、タブＴＢ５ｃが選択された場合、対応情報表示領域ＲＲ５には、消耗品情報ＳＪ５が表示される。
図１２に示すように、タブＴＢ５ｃが選択された場合、対応情報表示領域ＲＲ５には、消耗品情報ＳＪ５として、樹脂カートリッジＫＴのそれぞれについて、樹脂カートリッジＫＴに貯留された樹脂の色を示す情報ＪＨ５ｊと、樹脂カートリッジＫＴの残量を表す画像ＩＭ５ａとが対応付けて表示される。上述したように、本実施形態では、樹脂の色として、樹脂カートリッジＫＴごとに、第１無着色（Ｐ）と、第２無着色（ＰＨ）と、白色（Ｗ）と、イエロー（Ｙ）と、マゼンタ（Ｍ）と、シアン（Ｃ）とがある。
画像ＩＭ５ａは、樹脂カートリッジＫＴを模した画像内で、樹脂の残量がバーによって表された画像である。
ユーザーは、消耗品情報ＳＪ５を参照することにより、樹脂カートリッジＫＴのそれぞれの残量を簡易かつ的確に認識できる。
なお、消耗品情報ＳＪ５について、交換が必要な樹脂カートリッジＫＴについて、交換が必要な旨の情報を表示する構成でもよい。
また、消耗品情報ＳＪ５は、樹脂カートリッジＫＴ以外の消耗品の情報を含んでもよい。
【００６６】
上述したように、第５ユーザーインターフェースＵＩ５の状態表示領域ＨＲ５には、タッチ操作ボタンであるメニューボタンＭＢ５が表示される。メニューボタンＭＢ５がタッチ操作されたことを検出すると、制御部２０は、第５ユーザーインターフェースＵＩ５に重ねて、メニュー画面ＭＧを表示する。
【００６７】
図１３は、メニュー画面ＭＧを示す図である。
図１３に示すように、メニュー画面ＭＧには、７つの項目画像ＫＧＭＧａ〜ＫＧＭＧｇが表示される。７つの項目画像は、それぞれ、タッチ操作ボタンである。
項目画像ＫＧＭＧａは、第５ユーザーインターフェースＵＩ５の表示を指示する画像である。
項目画像ＫＧＭＧｂは、レシピに関する設定を行う場合にタッチ操作される画像である。
項目画像ＫＧＭＧｃは、給紙、及び、排紙に関する設定を行う場合にタッチ操作される画像である。
項目画像ＫＧＭＧｄは、シート製造装置１に関する所定の設定を行う場合にタッチ操作される画像である。
項目画像ＫＧＭＧｅは、シート製造装置１に対して所定の操作を行う場合にタッチ操作される画像である。
項目画像ＫＧＭＧｆは、シート製造装置１に関する所定の情報を参照する場合にタッチ操作される画像である。
項目画像ＫＧＭＧｇは、シート製造装置１をシャットダウンする場合に、タッチ操作される画像である。
【００６８】
メニュー画面ＭＧの項目画像ＫＧＭＧｂがタッチ操作されたことを検出した場合、制御部２０は、第７ユーザーインターフェースＵＩ７を表示する。
【００６９】
図１４は、第７ユーザーインターフェースＵＩ７を示す図である。
第７ユーザーインターフェースＵＩ７は、レシピに関する設定を行うユーザーインターフェースである。
図１４に示すように、第７ユーザーインターフェースＵＩ７は、状態表示領域ＨＲ７と、情報表示領域ＪＲ７とを有する。状態表示領域ＨＲ７には、状態情報ＪＪ７（「待機中」。）、及び、メニューボタンＭＢ７が表示される。
図１４に示すように、第７ユーザーインターフェースＵＩ７の情報表示領域ＪＲ７の左上部には、レシピ選択ボタンＳＳ７ａが設けられる。レシピ選択ボタンＳＳ７ａは、レシピを選択する際にタッチ操作されるタッチ操作ボタンである。また、レシピ選択ボタンＳＳ７ａには、現時点で選択されているレシピ（レシピ１〜レシピ１０のいずれか。）を示す情報が表示される。ユーザーは、レシピ選択ボタンＳＳ７ａに表示された情報を参照することにより、現時点で選択されているレシピを認識できる。また、ユーザーは、レシピの選択を行う場合、レシピ選択ボタンＳＳ７ａをタッチ操作する。制御部２０は、レシピ選択ボタンＳＳ７ａがタッチ操作されたことを検出すると、第８ユーザーインターフェースＵＩ８をポップアップ表示する。
【００７０】
図１５は、第８ユーザーインターフェースＵＩ８を示す図である。
上述したように、ユーザーは、レシピについて、レシピ１〜レシピ１０を事前に登録でき、１０個のレシピから、１つのレシピをシートの製造に用いるレシピとして選択できる。第８ユーザーインターフェースＵＩ８は、１０個のレシピから１つのレシピを選択するユーザーインターフェースである。
図１５に示すように、第８ユーザーインターフェースＵＩ８の状態表示領域ＨＲ８には、レシピを選択すべきことを示す状態情報ＪＪ８（「レシピ選択」。）が表示される。
図１５に示すように、第８ユーザーインターフェースＵＩ８の情報表示領域ＪＲ８には、１０個のレシピ１〜レシピ１０のそれぞれに対応して、１０個の項目画像ＫＧ８ａ〜ＫＧ８ｊが表示される。項目画像ＫＧ８ａ〜ＫＧ８ｊのそれぞれは、タッチ操作ボタンであり、ユーザーは、項目画像ＫＧ８ａ〜ＫＧ８ｊのいずれかの画像をタッチ操作することによって、レシピを選択する。
第８ユーザーインターフェースＵＩ８で選択されたレシピは、第７ユーザーインターフェースＵＩ７を利用した設定の対象のレシピとなる。また、第７ユーザーインターフェースＵＩ７のレシピ選択ボタンＳＳ７ａには、選択されたレシピを示す情報が表示される。
【００７１】
図１４に示すように、第７ユーザーインターフェースＵＩ７の情報表示領域ＪＲ７の右部には、色設定領域ＱＲ７が形成される。
色設定領域ＱＲ７には、用紙種類が「普通紙（色紙）」又は「厚紙（色紙）」であり、シート製造装置１が製造するシートが「色紙」の場合は、上述したイエロー値、マゼンタ値、及び、シアン値を設定する着色値設定画面ＩＧ７（図１４。）が表示される。
一方、色設定領域ＱＲ７には、用紙種類が「普通紙（白紙）」又は「厚紙（白紙）」であり、シート製造装置１が製造するシートが「白紙」の場合は、上述した白色値を設定する白色値設定画面ＳＧ７（図１６。）が表示される。
【００７２】
図１４は、着色値設定画面ＩＧ７が表示された第７ユーザーインターフェースＵＩ７を示す。
図１４に示すように、着色値設定画面ＩＧ７では、イエロー値、マゼンタ値、及びシアン値のそれぞれの現時点の値が、値の多寡によって長さが変動するバーＢＲ７ａと、具体的な値を示す情報ＪＨ７ａとにより表現される。ユーザーは、イエロー値、マゼンタ値、及びシアン値のそれぞれについて、バーＢＲ７ａと、情報ＪＨ７ａとの組み合わせを参照することにより、現時点の値を、簡易かつ的確に認識できる。また、各バーＢＲ７ａの左端部の左方には、各色設定値の値をデクリメントするデクリメントボタンＤＢ７ａがタッチ操作ボタンとして表示される。また、各バーＢＲ７ａの右端部の右方には、各色設定値の値をインクリメントするインクリメントボタンＩＢ７ａが表示される。ユーザーは、イエロー値、マゼンタ値、及びシアン値のそれぞれについて、デクリメントボタンＤＢ７ａ、及び、インクリメントボタンＩＢ７ａをタッチ操作するという簡易な作業を行うことにより、「０」〜「４」の範囲で、所望の値とすることができる。
【００７３】
図１４に示すように、着色値設定画面ＩＧ７の右部には、６つの色（本実施形態では、赤色、紫色、ピンク色、緑色、黄色、及び、青色。）のそれぞれについて、各色で塗りつぶされた矩形のオブジェクトが表示された色選択ボタンＥＢ７ａ〜ＥＢ７ｆが表示される。色選択ボタンＥＢ７ａ〜ＥＢ７ｆは、それぞれ、タッチ操作ボタンである。
６つの色選択ボタンＥＢ７ａ〜ＥＢ７ｆのいずれか１つのボタンがタッチ操作されると、製造されるシートの色が、タッチ操作されたボタンに対応する色に近似した色となるように、イエロー値、マゼンタ値、及び、シアン値が自動で調整される。例えば、色選択ボタンＥＢ７ａに対応する色は、赤色である。そして、色選択ボタンＥＢ７ａがタッチ操作されると、製造されるシートの色が、赤色に近似した色となるように、イエロー値、マゼンタ値、及び、シアン値が自動で調整される。また、各色のバーＢＲ７ａ、及び、情報ＪＨ７ａは、それぞれ、自動で調整された後のイエロー値、マゼンタ値、及びシアン値を反映した状態となる。
ここで、ユーザーは、製造するシートの色を所定の色にしたい場合において、原料に供給するイエロー、マゼンタ、及びシアンを配合する割合をどうすればよいかを的確に認識してない場合も少なくないものと想定される。これを踏まえ、本実施形態によれば、ユーザーは、色選択ボタンＥＢ７ａ〜ＥＢ７ｆのいずれかをタッチ操作するという簡易な作業を行うことにより、製造されるシートの色を、少なくともこれら６つの色のいずれかの色に近似した色とすることができる。さらに、ユーザーは、色選択ボタンＥＢ７ａ〜ＥＢ７ｆをタッチ操作した後に、さらに、デクリメントボタンＤＢ７ａ、及び、インクリメントボタンＩＢ７ａを用いてイエロー値、マゼンタ値、及びシアン値を調整することができ、製造されるシートの色を、より的確に所望の色に近づけることができる。
なお、色選択ボタンＥＢ７ａ〜ＥＢ７ｆに対応する色は、あくまで一例であり、他の色を含んでもよい。ただし、本実施形態の色選択ボタンＥＢ７ａ〜ＥＢ７ｆに対応する６つの赤色、紫色、ピンク色、緑色、黄色、及び青色は、シートの色に採用される代表的な色であり、色選択ボタンＥＢ７ａ〜ＥＢ７ｆにより選択可能な色として、適切である。
【００７４】
図１６は、白色値設定画面ＳＧ７が表示された第７ユーザーインターフェースＵＩ７を示す。
図１６に示すように、白色値設定画面ＳＧ７では、白色値の現時点の値が、値の多寡によって長さが変動するバーＢＲ７ｂと、具体的な値を示す情報ＪＨ７ｂとにより表現される。ユーザーは、白色値について、バーＢＲ７ｂと、情報ＪＨ７ｂとの組み合わせを参照することにより、現時点の値を、簡易かつ的確に認識できる。また、バーＢＲ７ｂの左端部の左方には、白色設定値の値をデクリメントするデクリメントボタンＤＢ７ｂがタッチ操作ボタンとして表示される。また、バーＢＲ７ｂの右端部の右方には、白色設定値の値をインクリメントするインクリメントボタンＩＢ７ｂが表示される。ユーザーは、白色値について、デクリメントボタンＤＢ７ｂ、及び、インクリメントボタンＩＢ７ｂをタッチ操作するという簡易な作業を行うことにより、「０」〜「４」の範囲で、所望の値とすることができる。
【００７５】
図１４に示すように、第７ユーザーインターフェースＵＩ７の情報表示領域ＪＲ７の右上部には、自動停止枚数設定ボタンＳＳ７ｂが設けられる。自動停止枚数設定ボタンＳＳ７ｂは、自動停止枚数を設定する場合にタッチ操作されるタッチ操作ボタンである。また、自動停止枚数設定ボタンＳＳ７ｂには、現時点で設定された自動停止枚数を示す情報が表示される。ユーザーは、自動停止枚数設定ボタンＳＳ７ｂに表示された情報を参照することにより、現時点で設定された自動停止枚数を認識できる。また、ユーザーは、自動停止枚数の設定を行う場合、自動停止枚数設定ボタンＳＳ７ｂをタッチ操作する。制御部２０は、自動停止枚数設定ボタンＳＳ７ｂがタッチ操作されたことを検出すると、第９ユーザーインターフェースＵＩ９をポップアップ表示する。
【００７６】
図１７は、第９ユーザーインターフェースＵＩ９を示す図である。
図１７に示すように、第９ユーザーインターフェースＵＩ９の状態表示領域ＨＲ９には、自動停止枚数を設定すべきことを示す状態情報ＪＪ９（「自動停止枚数」。）が表示される。
図１７に示すように、第９ユーザーインターフェースＵＩ９の情報表示領域ＪＲ９の左上部には、設定された自動停止枚数の値が入力され表示される入力欄ＮＲ９が表示される。入力欄ＮＲ９の下方には、ソフトウェアテンキーＴＸ９が表示される。ソフトウェアテンキーＴＸ９の右方には、異なる複数の自動停止枚数（図１７では、「５０枚」、「１００枚」・・・。）のそれぞれについて、タッチ操作により選択可能な項目画像ＫＧ９が一覧表示される。項目画像ＫＧ９には、対応する自動停止枚数を示す情報が表示される。また、複数の項目画像ＫＧ９のうち、先頭の項目画像ＫＧ９には、設定しないことを示す情報（「設定なし」。）が表示される。当該先頭の項目画像ＫＧ９がタッチ操作により選択された場合、自動停止枚数が設定されない。この場合、シート製造装置１は、製造するシートの枚数が所定の枚数に至ったことに基づく自動の停止を行わない。
図１７に示すように、第９ユーザーインターフェースＵＩ９の情報表示領域ＪＲ９の下部には、入力を確定する確定ボタンＫＢ９が表示される。
ユーザーは、ソフトウェアテンキーＴＸ９をタッチ操作することによって、また、いずれかの項目画像ＫＧ９をタッチ操作することによって、自動停止枚数を入力欄ＮＲ９に入力する。ユーザーが入力した自動停止枚数の値は、随時、入力欄ＮＲ９に表示される。ユーザーは、入力を確定する場合、確定ボタンＫＢ９をタッチ操作する。
このように、本実施形態では、自動停止枚数の設定について、ユーザーは、ソフトウェアテンキーＴＸ９を用いることもでき、項目画像ＫＧ９を用いることもできる。ユーザーは、ソフトウェアテンキーＴＸ９と、項目画像ＫＧ９とを利用して、簡易に自動停止枚数を設定できる。
【００７７】
図１４に示すように、第７ユーザーインターフェースＵＩ７の情報表示領域ＪＲ７の左部には、用紙サイズ設定ボタンＳＳ７ｃが設けられる。用紙サイズ設定ボタンＳＳ７ｃは、用紙サイズを設定する場合にタッチ操作されるタッチ操作ボタンである。また、用紙サイズ設定ボタンＳＳ７ｃには、現時点で設定された用紙サイズを示す情報が表示される。ユーザーは、用紙サイズ設定ボタンＳＳ７ｃに表示された情報を参照することにより、現時点で設定された用紙サイズを認識できる。また、ユーザーは、用紙サイズの設定を行う場合、用紙サイズ設定ボタンＳＳ７ｃをタッチ操作する。制御部２０は、用紙サイズ設定ボタンＳＳ７ｃがタッチ操作されたことを検出すると、第１０ユーザーインターフェースＵＩ１０をポップアップ表示する。
【００７８】
図１８は、第１０ユーザーインターフェースＵＩ１０を示す図である。
図１８に示すように、第１０ユーザーインターフェースＵＩ１０の状態表示領域ＨＲ１０には、用紙サイズを設定（選択）すべきことを示す状態情報ＪＪ１０（「用紙サイズ選択」。）が表示される。
図１８に示すように、第１０ユーザーインターフェースＵＩ１０の情報表示領域ＪＲ１０には、選択可能な用紙サイズ（本実施形態では、「Ａ３」又は「Ａ４」。）のそれぞれに対応して、項目画像ＫＧ１０が表示される。項目画像ＫＧ１０のそれぞれは、タッチ操作ボタンであり、ユーザーは、項目画像ＫＧ１０のいずれかの画像をタッチ操作することによって、用紙サイズを選択し、設定する。
【００７９】
図１４に示すように、第７ユーザーインターフェースＵＩ７の情報表示領域ＪＲ７の左部において、用紙サイズ設定ボタンＳＳ７ｃの下方には、用紙種類設定ボタンＳＳ７ｄが設けられる。用紙種類設定ボタンＳＳ７ｄは、用紙種類を設定する場合にタッチ操作されるタッチ操作ボタンである。また、用紙種類設定ボタンＳＳ７ｄには、現時点で設定された用紙種類を示す情報が表示される。ユーザーは、用紙種類設定ボタンＳＳ７ｄに表示された情報を参照することにより、現時点で設定された用紙種類を認識できる。また、ユーザーは、用紙種類の設定を行う場合、用紙種類設定ボタンＳＳ７ｄをタッチ操作する。制御部２０は、用紙種類設定ボタンＳＳ７ｄがタッチ操作されたことを検出すると、第１１ユーザーインターフェースＵＩ１１をポップアップ表示する。
【００８０】
図１９は、第１１ユーザーインターフェースＵＩ１１を示す図である。
図１９に示すように、第１１ユーザーインターフェースＵＩ１１の状態表示領域ＨＲ１１には、用紙種類を設定（選択）すべきことを示す状態情報ＪＪ１１（「用紙種類選択」。）が表示される。
図１９に示すように、第１１ユーザーインターフェースＵＩ１１の情報表示領域ＪＲ１１には、選択可能な用紙種類のそれぞれに対応して、項目画像ＫＧ１１が表示される。項目画像ＫＧ１１のそれぞれは、タッチ操作ボタンであり、ユーザーは、項目画像ＫＧ１１のいずれかの画像をタッチ操作することによって、用紙種類を選択し、設定する。
図１９に示すように、第１１ユーザーインターフェースＵＩ１１の情報表示領域ＪＲ１１の下部には、厚紙を選択した場合（用紙種類：「厚紙（白紙）」又は用紙種類：「厚紙（色紙）」を選択した場合。）における注意点を示す文言ＭＳ１１（「厚紙を選択した場合、・・・／数十秒かかる場合が・・・」。）が表示される。ユーザーは、文言ＭＳ１１を参照することにより、シート製造装置１が製造するシートを厚紙とする場合における注意点を簡易かつ的確に認識できる。
【００８１】
図１４に示すように、第７ユーザーインターフェースＵＩ７の情報表示領域ＪＲ７の左部において、用紙種類設定ボタンＳＳ７ｄの下方には、用紙厚さ設定ボタンＳＳ７ｅが設けられる。用紙厚さ設定ボタンＳＳ７ｅは、用紙厚さを設定する場合にタッチ操作されるタッチ操作ボタンである。また、用紙厚さ設定ボタンＳＳ７ｅには、現時点で設定された用紙厚さ（上述したように、厚さの度合いを表すレベル。）を示す情報が表示される。ユーザーは、用紙厚さ設定ボタンＳＳ７ｅに表示された情報を参照することにより、現時点で設定された用紙厚さを認識できる。また、ユーザーは、用紙厚さの設定を行う場合、用紙厚さ設定ボタンＳＳ７ｅをタッチ操作する。制御部２０は、用紙厚さ設定ボタンＳＳ７ｅがタッチ操作されたことを検出すると、第１２ユーザーインターフェースＵＩ１２をポップアップ表示する。
【００８２】
図２０は、第１２ユーザーインターフェースＵＩ１２を示す図である。
図２０に示すように、第１２ユーザーインターフェースＵＩ１２の状態表示領域ＨＲ１２には、用紙厚さを設定すべきことを示す状態情報ＪＪ１２（「用紙厚さ」。）が表示される。
図２０に示すように、第１２ユーザーインターフェースＵＩ１２の情報表示領域ＪＲ１２には、用紙厚さの現時点のレベルが、上下方向に延在し、レベルの多寡によって長さが変動するバーＢＲ１２と、具体的な値を示す情報ＪＨ１２とにより表現される。ユーザーは、用紙厚さについて、バーＢＲ１２と、情報ＪＨ１２との組み合わせを参照することにより、現時点のレベルを、簡易かつ的確に認識できる。また、バーＢＲ１２の下端部の下方には、用紙厚さのレベルの値をデクリメントするデクリメントボタンＤＢ１２がタッチ操作ボタンとして表示される。また、バーＢＲ１２の上端部の上方には、用紙厚さのレベルの値をインクリメントするインクリメントボタンＩＢ１２が表示される。ユーザーは、用紙厚さのレベルの値について、デクリメントボタンＤＢ１２、及び、インクリメントボタンＩＢ１２をタッチ操作するという簡易な作業を行うことにより、「レベル１」〜「レベル１０」の範囲で、所望の値とすることができる。
【００８３】
図２０に示すように、バーＢＲ１２の右方には、用紙厚さのレベルを変更した場合における注意点を示す文言ＭＳ１２（「用紙厚さのレベルを変更した場合、・・・／安定した厚さの・・・／までに時間が・・・」。）が表示される。ユーザーは、文言ＭＳ１２を参照することにより、用紙厚さのレベルを変更する場合における注意点を簡易かつ的確に認識できる。
図２０に示すように、第１２ユーザーインターフェースＵＩ１２の情報表示領域ＪＲ１２の下部には、第１２ユーザーインターフェースＵＩ１２に対する入力を確定する確定ボタンＫＢ１２が表示される。ユーザーは、確定ボタンＫＢ１２をタッチ操作することによって、入力を確定し、用紙厚さを設定する。
【００８４】
図１４に示すように、第７ユーザーインターフェースＵＩ７の情報表示領域ＪＲ７の下部には、確定ボタンＫＢ７が表示される。ユーザーは、第７ユーザーインターフェースＵＩ７、及び、当該ユーザーインターフェースに付随するユーザーインターフェースに対する入力を確定する場合、確定ボタンＫＢ７をタッチ操作する。制御部２０は、確定ボタンＫＢ７がタッチ操作されたことを検出すると、ユーザーにより行われた設定を正常に反映できるか否かを判別する。例えば、特定の色の樹脂の残量が不足しており、ユーザーにより行われた設定を正常に反映できない場合がある。制御部２０は、ユーザーにより行われた設定を正常に反映できる場合、設定が成功した旨の情報が表示された第１３ユーザーインターフェースＵＩ１３（図２１。）を表示することにより、ユーザーにその旨通知し、ユーザーの指示に応じて、第５ユーザーインターフェースＵＩ５を表示する。一方、制御部２０は、ユーザーにより行われた設定を正常に反映できない場合、設定に失敗した旨の情報が表示された第１４ユーザーインターフェースＵＩ１４（図２２。）を表示することにより、ユーザーにその旨通知し、ユーザーの指示に応じて、第５ユーザーインターフェースＵＩ５を表示する。
設定が成功した場合、第７ユーザーインターフェースＵＩ７に代えて、タッチパネル５に表示される第５ユーザーインターフェースＵＩ５において、タブＴＢ５ａに係る対応情報表示領域ＲＲ５には、選択されたレシピについて、第７ユーザーインターフェースＵＩ７を用いて行われた設定が反映された設定値が表示される。
【００８５】
図１３に示すメニュー画面ＭＧの項目画像ＫＧＭＧｃ（給紙、及び、排紙に関する設定を行う場合にタッチ操作される画像）がタッチ操作されたことを検出した場合、制御部２０は、第１５ユーザーインターフェースＵＩ１５を表示する。
【００８６】
図２３は、第１５ユーザーインターフェースＵＩ１５を示す図である。
第１５ユーザーインターフェースＵＩ１５は、給紙、及び、排紙に関する設定を行うユーザーインターフェースである。
図２３に示すように、第１５ユーザーインターフェースＵＩ１５は、状態表示領域ＨＲ１５と、情報表示領域ＪＲ１５とを有する。状態表示領域ＨＲ１５には、状態情報ＪＪ１５、及び、メニューボタンＭＢ１５が表示される。
第１５ユーザーインターフェースＵＩ１５の情報表示領域ＪＲ１５において、左部の領域ＡＲ１５ａは古紙の給紙に関する設定を行う領域であり、右部の領域ＡＲ１５ｂはシートの排紙に関する設定を行う領域である。
【００８７】
図２３は、シート製造装置１に、給紙ユニットとして、給紙カセット１１、及び、オプションの給紙トレイが装着され、排紙ユニットとして、排紙トレイ１２にオプションの排紙スタッカーが装着されている場合の第１５ユーザーインターフェースＵＩ１５を示す。制御部２０は、給紙ユニット、及び、排紙ユニットについて、シート製造装置１に装着されたユニットを検出し、装着されたユニットに応じて、第１５ユーザーインターフェースＵＩ１５の内容を変更する。
図２３に示すように、給紙ユニットとして、オプションの給紙トレイが装着された状態の場合、領域ＡＲ１５ａには、給紙カセット１１と、給紙トレイと、給紙カセット１１と給紙トレイとの組み合わせとのいずれかを択一的に選択可能な３つの項目画像ＫＧ１５が表示される。ユーザーは、いずれかの項目画像ＫＧ１５をタッチ操作することにより、古紙の供給に利用する給紙ユニットを設定できる。
【００８８】
図２３に示すように、排紙ユニットとして、オプションの排紙スタッカーが装着された状態の場合、領域ＡＲ１５ｂには、シフト枚数を示す情報が表示されたシフト枚数選択ボタンＳＳ１５が表示される。ここで、排紙スタッカーは、製造されたシートを収納可能なスタッカー部を、複数、有する。そして、シフト枚数は、１つのスタッカー部に収容するシートの枚数を意味する。制御部２０は、１のスタッカー部に対してシフト枚数分のシートが収納されたことを検出した場合、シートの排出先を、当該１のスタッカー部から、他のスタッカー部へと、予め定められた順番に従って、切り替える。
制御部２０は、シフト枚数選択ボタンＳＳ１５がタッチ操作されたことを検出すると、第１６ユーザーインターフェースＵＩ１６を、ポップアップ表示する。
【００８９】
図２４は、第１６ユーザーインターフェースＵＩ１６を示す図である。
第１６ユーザーインターフェースＵＩ１６の表示内容は、図１７を用いて説明した第９ユーザーインターフェースＵＩ９の表示内容と同様である。すなわち、図２４に示すように、第１６ユーザーインターフェースＵＩ１６の状態表示領域ＨＲ１６には、シフト枚数を設定すべきことを示す状態情報ＪＪ１６（「シフト枚数設定」。）が表示される。また、第１６ユーザーインターフェースＵＩ１６の情報表示領域ＪＲ１６には、設定されたシフト枚数の値が入力され表示される入力欄ＮＲ１６と、ソフトウェアテンキーＴＸ１６と、予め定められた複数の自動停止枚数から１つの自動停止枚数をタッチ操作により選択可能な複数の項目画像ＫＧ１６が表示される。
このように、本実施形態では、シフト枚数の設定について、ユーザーは、ソフトウェアテンキーＴＸ１６を用いることもでき、項目画像ＫＧ１６を用いることもできる。
【００９０】
図２５は、シート製造装置１に、給紙ユニットとして、オプションの給紙トレイが装着され、排紙ユニットとして、排紙トレイ１２が装着されている場合（オプションの排紙スタッカーが装着されてない場合。）の第１５ユーザーインターフェースＵＩ１５を示す。
図２５に示すように、シート製造装置１に、排紙ユニットとして、排紙トレイ１２が装着された状態の場合、領域ＡＲ１５ｂには、シートの排紙先の排紙ユニットとして、排紙トレイ１２が設定されたことを示す情報が表示される。
【００９１】
図２６は、シート製造装置１に、給紙ユニットとして、給紙カセット１１が装着され（オプションの給紙トレイが装着されず）、排紙ユニットとして、オプションの排紙スタッカーが装着されている場合の第１５ユーザーインターフェースＵＩ１５を示す。
シート製造装置１に、給紙ユニットとして、オプションの給紙トレイが装着されてない状態の場合、自動で、古紙の供給元の給紙ユニットが、給紙カセット１１に設定される。これを踏まえ、図２６に示すように、領域ＡＲ１５ａには、古紙の供給元の給紙ユニットとして、給紙カセット１１が設定されたことを示す情報が表示される。
【００９２】
図２７は、シート製造装置１に、給紙ユニットとして、オプションの給紙トレイが装着されない状態で給紙カセット１１が装着され、排紙ユニットとして、オプションの排紙スタッカーが装着されない状態で排紙トレイ１２が装着された状態の場合の第１５ユーザーインターフェースＵＩ１５を示す。
【００９３】
図２３に示すように、第１５ユーザーインターフェースＵＩ１５の情報表示領域ＪＲ１５の下部には、当該ユーザーインターフェースに対する入力を確定する確定ボタンＫＢ１５が表示される。ユーザーは、第１５ユーザーインターフェースＵＩ１５、及び、当該ユーザーインターフェースに付随するユーザーインターフェースに対する入力を確定する場合、確定ボタンＫＢ１５をタッチ操作する。制御部２０は、確定ボタンＫＢ１５がタッチ操作されたことを検出すると、ユーザーにより行われた設定を正常に反映できるか否かを判別する。制御部２０は、ユーザーにより行われた設定を正常に反映できる場合、設定が成功した旨の情報が表示された第１７ユーザーインターフェースＵＩ１７（図２８。）を表示することにより、ユーザーにその旨通知し、ユーザーの指示に応じて、第５ユーザーインターフェースＵＩ５を表示する。一方、制御部２０は、ユーザーにより行われた設定を正常に反映できない場合、設定に失敗した旨の情報が表示された第１８ユーザーインターフェースＵＩ１８（図２９。）を表示することにより、ユーザーにその旨通知し、ユーザーの指示に応じて、第５ユーザーインターフェースＵＩ５を表示する。
設定が成功した場合、第１７ユーザーインターフェースＵＩ１７に代えて、タッチパネル５に表示される第５ユーザーインターフェースＵＩ５において、タブＴＢ５ｂに係る対応情報表示領域ＲＲ５には、第１５ユーザーインターフェースＵＩ１５を用いて行われた設定が反映された情報が表示される。
【００９４】
図１３に示すメニュー画面ＭＧの項目画像ＫＧＭＧｄ（シート製造装置１に所定の設定を行う場合にタッチ操作される画像。）がタッチ操作されたことを検出した場合、制御部２０は、第１９ユーザーインターフェースＵＩ１９を表示する。
【００９５】
図３０は、第１９ユーザーインターフェースＵＩ１９を示す図である。
図３０に示すように、第１９ユーザーインターフェースＵＩ１９は、状態表示領域ＨＲ１９と、情報表示領域ＪＲ１９とを有する。状態表示領域ＨＲ１９には、状態情報ＪＪ１９（「待機中」。）、及び、メニューボタンＭＢ１９が表示される。
図３０に示すように、第１９ユーザーインターフェースＵＩ１９の情報表示領域ＪＲ１９の左上部には、項目選択プルダウンメニューＰＭ１９が設けられる。項目選択プルダウンメニューＰＭ１９は、第１９ユーザーインターフェースＵＩ１９により設定する対象が、項目として表示されるプルダウンメニューである。なお、図３０では、項目選択プルダウンメニューＰＭ１９について、プルダウンメニューが閉じた状態である。ユーザーは、項目選択プルダウンメニューＰＭ１９に表示された項目のうち、１つの項目を選択することにより、第１９ユーザーインターフェースＵＩ１９を用いて設定する対象を選択することができる。
【００９６】
図３０の第１９ユーザーインターフェースＵＩ１９は、タッチパネル５に表示される画面の明るさ（輝度）を設定するユーザーインターフェースである。
図３０に示すように、第１９ユーザーインターフェースＵＩ１９の情報表示領域ＪＲ１９において、項目選択プルダウンメニューＰＭ１９の下方には、第１９ユーザーインターフェースＵＩ１９が画面の明るさの設定を行うユーザーインターフェースであることを示す情報ＪＨ１９が表示される。
図３０に示すように、第１９ユーザーインターフェースＵＩ１９の中央部には、画面の明るさを調整するスライダーＳＤ１９が表示される。ユーザーは、スライダーＳＤ１９のつまみを移動させるという簡易な作業により、画面の明るさを調整することができる。
【００９７】
図１３に示すメニュー画面ＭＧの項目画像ＫＧＭＧｅ（シート製造装置１に対して所定の操作を行う場合にタッチ操作される画像。）がタッチ操作されたことを検出した場合、制御部２０は、第２０ユーザーインターフェースＵＩ２０を表示する。
【００９８】
図３１は、第２０ユーザーインターフェースＵＩ２０を示す図である。
図３１に示すように、第２０ユーザーインターフェースＵＩ２０は、状態表示領域ＨＲ２０と、情報表示領域ＪＲ２０とを有する。状態表示領域ＨＲ２０には、状態情報ＪＪ２０（「待機中」。）、及び、メニューボタンＭＢ２０が表示される。
本実施形態では、シート製造装置１に対して行う操作は、「廃粉袋ＨＨの交換」である。ただし、シート製造装置１に対して行う操作は、「廃粉袋ＨＨの交換」に限らない。
【００９９】
図３１に示すように、第２０ユーザーインターフェースＵＩ２０の情報表示領域ＪＲ２０には、シート製造装置１に対して行う操作が「廃粉袋ＨＨの交換」であることを明示する情報ＪＨ２０と、廃粉袋ＨＨの交換の開始を指示する交換開始ボタンＸＢ２０とが表示される。交換開始ボタンＸＢ２０は、タッチ操作ボタンである。ユーザーは、廃粉袋ＨＨの交換を行う場合、交換開始ボタンＸＢ２０をタッチ操作する。交換開始ボタンＸＢ２０がタッチ操作されたことを検出すると、制御部２０は、第２１ユーザーインターフェースＵＩ２１をポップアップ表示する。
【０１００】
図３２は、第２１ユーザーインターフェースＵＩ２１を示す図である。
図３２に示すように、第２１ユーザーインターフェースＵＩ２１は、状態表示領域ＨＲ２１と、情報表示領域ＪＲ２１とを有する。状態表示領域ＨＲ２１には、廃粉袋ＨＨの交換中であることを示す状態情報ＪＪ２１（「廃粉袋の交換中」。）が表示される。
図３２に示すように、第２１ユーザーインターフェースＵＩ２１の情報表示領域ＪＲ２１には、シート製造装置１の正面図を表す画像ＩＭ２１が表示される。画像ＩＭ２１の下方には、廃粉ボックスカバー１３のロックが解除された状態であることを示す文言ＭＳ２１ａ（「廃粉ボックスカバーの・・・」。）が表示される。なお、制御部２０は、第２０ユーザーインターフェースＵＩ２０（図３１）の交換開始ボタンＸＢ２０がタッチ操作されたことを検出すると、ロック部２４を制御して、廃粉ボックスカバー１３のロックを解除する。ユーザーは、文言ＭＳ２１ａを参照することにより、廃粉ボックスカバー１３のロックが解除された状態であることを簡易かつ的確に認識できる。
図３２に示すように、文言ＭＳ２１ａの下方には、廃粉袋ＨＨを交換するときの手順を示す文言ＭＳ２１ｂ（「廃粉ボックスカバーを開けて、・・・／交換作業が完了したら・・・／ボタンを押すと・・・」。）が表示される。ユーザーは、文言ＭＳ２１ｂを参照することにより、廃粉袋ＨＨを交換するときの手順について、簡易かつ的確に認識できる。なお、第２１ユーザーインターフェースＵＩ２１には、シート製造装置１の正面図を表す画像ＩＭ２１が表示されるので、これを利用して、画像ＩＭ２１と対応付けて、廃粉ボックスカバーの位置等を示す情報、画像、その他のオブジェクトを表示する構成でもよい。
文言ＭＳ２１ｂに示すように、廃粉袋ＨＨを交換する手順には、廃粉ボックスカバー１３を開けるという作業がある。制御部２０は、廃粉ボックスカバーが開いたことを検出した場合、第２２ユーザーインターフェースＵＩ２２をポップアップ表示する。
【０１０１】
図３３は、第２２ユーザーインターフェースＵＩ２２を示す図である。
図３３に示すように、第２２ユーザーインターフェースＵＩ２２は、状態表示領域ＨＲ２２と、情報表示領域ＪＲ２２とを有する。状態表示領域ＨＲ２２には、廃粉袋ＨＨの交換中であることを示す状態情報ＪＪ２２（「廃粉袋の交換中」。）が表示される。
図３３に示すように、第２２ユーザーインターフェースＵＩ２２の情報表示領域ＪＲ２２には、シート製造装置１の正面図を表す画像ＩＭ２２が表示される。画像ＩＭ２２の下方には、廃粉ボックスカバー１３が開いた状態であること、及び、廃粉袋ＨＨの交換が完了した場合に廃粉ボックスカバー１３を閉じる必要があることを示す文言ＭＳ２２が表示される。
ユーザーは、文言ＭＳ２２を参照することにより、廃粉ボックスについて、現在の状況と、廃粉袋ＨＨの交換が完了した場合に廃粉ボックスカバー１３を閉じる必要があることを簡易かつ的確に認識できる。
制御部２０は、廃粉ボックスカバー１３が閉じられたことを検出すると、第２１ユーザーインターフェースＵＩ２１を表示する。
【０１０２】
図３２に示すように、第２１ユーザーインターフェースＵＩ２１の下部には、交換完了ボタンＸＢ２１が表示される。ユーザーは、廃粉袋ＨＨの交換が完了した場合、交換完了ボタンＸＢ２１をタッチ操作する。制御部２０は、交換完了ボタンＸＢ２１がタッチ操作されたことを検出した場合、対応する処理を実行する。
【０１０３】
図１３に示すメニュー画面ＭＧの項目画像ＫＧＭＧｆ（シート製造装置１に関する所定の情報を参照する場合にタッチ操作される画像。）がタッチ操作されたことを検出した場合、制御部２０は、第２３ユーザーインターフェースＵＩ２３を表示する。
【０１０４】
図３４は、第２３ユーザーインターフェースＵＩ２３を示す図である。
図３４に示すように、第２３ユーザーインターフェースＵＩ２３は、状態表示領域ＨＲ２３と、情報表示領域ＪＲ２３とを有する。状態表示領域ＨＲ２３には、状態情報ＪＪ２３（「待機中」。）、及び、メニューボタンＭＢ２３が表示される。
図３４に示すように、第２３ユーザーインターフェースＵＩ２３の情報表示領域ＪＲ２３の左上部には、項目選択プルダウンメニューＰＭ２３が設けられる。項目選択プルダウンメニューＰＭ２３は、第２３ユーザーインターフェースＵＩ２３により詳細な情報を参照する対象が、項目として表示されるプルダウンメニューである。なお、図３４では、項目選択プルダウンメニューＰＭ２３について、プルダウンメニューが閉じた状態である。ユーザーは、項目選択プルダウンメニューＰＭ２３に表示された項目のうち、１つの項目を選択することにより、第２３ユーザーインターフェースＵＩ２３を用いて設定する対象を選択することができる。
【０１０５】
図３４は、ユーザーにより、詳細な情報を参照する対象として「装置情報」が選択された状態の第２３ユーザーインターフェースＵＩ２３を示す。
装置情報は、システム情報として、シート製造装置１の製品名、製品型番、及びシリアルＮｏを含む。また、装置情報は、ソフトウェアバージョンとして、シート製造装置１のファームウェアのバージョン、及び、タッチパネル５の表示を制御するアプリケーションのバージョンを含む。
図３４に示すように、装置情報に係る第２３ユーザーインターフェースＵＩ２３には、装置情報に含まれる情報が、表示される。ユーザーは、装置情報に係る第２３ユーザーインターフェースＵＩ２３を参照することにより、装置情報を簡易に的確に認識できる。
【０１０６】
図３５は、ユーザーにより、詳細な情報を参照する対象として「ライセンス情報」が選択された状態の第２３ユーザーインターフェースＵＩ２３を示す。
ライセンス情報は、シート製造装置１のライセンスに関する情報である。
図３５に示すように、ライセンス情報に係る第２３ユーザーインターフェースＵＩ２３には、ライセンス表示ボタンＲＳ２３が表示される。ライセンス表示ボタンＲＳ２３は、ライセンスに関する詳細な情報を参照する場合にタッチ操作されるタッチ操作ボタンである。制御部２０は、ライセンス情報に係る第２３ユーザーインターフェースＵＩ２３のライセンス表示ボタンＲＳ２３が操作されたことを検出した場合、第２４ユーザーインターフェースＵＩ２４をポップアップ表示する。
【０１０７】
図３６は、第２４ユーザーインターフェースＵＩ２４を示す図である。
図３６に示すように、第２４ユーザーインターフェースＵＩ２４は、状態表示領域ＨＲ２４と、情報表示領域ＪＲ２４とを有する。状態表示領域ＨＲ２４には、ライセンスに関する情報を表示中であることを示す状態情報ＪＪ２３（「ライセンス」。）が表示される。
図３６に示すように、第２４ユーザーインターフェースＵＩ２４の情報表示領域ＪＲ２４は、領域として、上部に形成された領域ＡＲ２４ａと、下部に形成された領域ＡＲ２４ｂとを有する。領域ＡＲ２４ａは、複数のライセンスに関する項目から、１つの項目を選択する領域である。図３６に示すように、領域ＡＲ２４ａには、項目のそれぞれに対応して、項目画像ＫＧ２４が表示される。項目画像ＫＧ２４のそれぞれは、タッチ操作ボタンであり、ユーザーは、項目画像ＫＧ２４のいずれかの画像をタッチ操作することによって、項目を選択する。
図３６に示すように、領域ＡＲ２４ｂには、領域ＡＲ２４ａで選択された項目に対応するライセンスに関する情報が表示される。ユーザーは、領域ＡＲ２４ｂに表示された情報を参照することにより、選択した項目に対応するライセンスに関する情報を簡易に、的確に認識できる。
【０１０８】
図８に示すように、第５ユーザーインターフェースＵＩ５の第１ブロックＢＫ５ａには、運転開始ボタンＵＢ５が表示される。運転開始ボタンＵＢ５は、シート製造装置１によるシートを製造する処理の開始を指示するタッチ操作ボタンである。運転開始ボタンＵＢ５がタッチ操作されたことを検出した場合、制御部２０は、即時にシートを製造する処理を開始することなく、第２５ユーザーインターフェースＵＩ２５をポップアップ表示する。
【０１０９】
図３７は、第２５ユーザーインターフェースＵＩ２５を示す図である。
第２５ユーザーインターフェースＵＩ２５は、シートを製造する処理を開始することについて、ユーザーに対して確認するユーザーインターフェースである。
図３７に示すように、第２５ユーザーインターフェースＵＩ２５は、状態表示領域ＨＲ２５と、情報表示領域ＪＲ２５とを有する。状態表示領域ＨＲ２５には、シートを製造する処理を開始することの確認を行っていることを示す状態情報ＪＪ２５（「確認」。）が表示される。
図３７に示すように、第２５ユーザーインターフェースＵＩ２５の情報表示領域ＪＲ２５には、シートを製造する処理を開始することの是非についてユーザーに対して問い合わせる文言ＭＳ２５（「「開始」ボタンが押されました／運転を開始してもよろしいですか」。）が表示される。また、情報表示領域ＪＲ２５において、文言ＭＳ２５の下方には、処理の開始を取り止める場合にタッチ操作される否定ボタンＮＢ２５と、処理の開始を指示する場合にタッチ操作される肯定ボタンＹＢ２５とが表示される。ユーザーは、シートの製造に係る処理の開始を取り止める場合は、否定ボタンＮＢ２５をタッチ操作し、シートの製造を開始する場合は、肯定ボタンＹＢ２５をタッチ操作する。
ここで、ユーザーが、第５ユーザーインターフェースＵＩ５の運転開始ボタンＵＢ５をタッチ操作した場合であっても、所定の事情により、処理の開始を取り止める場合が生じ得ると想定される。また、誤って運転開始ボタンＵＢ５がタッチ操作される場合もあり得ると想定される。これらの場合であっても、運転開始ボタンＵＢ５のタッチ操作に応じて、即時にシートの製造に係る処理が開始されるのではなく、第２５ユーザーインターフェースＵＩ２５により、シートの製造に係る処理を開始することについてユーザーに確認され、改めてユーザーの指示があって初めて処理を開始する構成のため、不必要に処理が開始されてしまう事態が発生することを防止できる。
【０１１０】
制御部２０は、第２５ユーザーインターフェースＵＩ２５の否定ボタンＮＢ２５がタッチ操作されたことを検出した場合、シートの製造に係る処理の開始を中止する。
制御部２０は、第２５ユーザーインターフェースＵＩ２５の肯定ボタンＹＢ２５がタッチ操作されたことを検出した場合、シートの製造に係る処理を開始するために必要な開始準備処理を実行すると共に、第２６ユーザーインターフェースＵＩ２６をタッチパネル５に表示する。開始準備処理は、シートの製造に係る処理を正常に行うために、事前に行う処理であり、制御部２０は、開始準備処理として、例えば、所定の機構について初期動作確認を実行したり、所定の機構について動作可能な状態とするための処理を実行したり、また、所定のセンサーからの入力に基づいてエラーの発生の有無を検出する。
【０１１１】
図３８は、第２６ユーザーインターフェースＵＩ２６を示す図である。
第２６ユーザーインターフェースＵＩ２６は、上述した開始準備処理を実行中であること、及び、開始準備処理の進捗状況を表すユーザーインターフェースである。
図３８に示すように、第２６ユーザーインターフェースＵＩ２６は、開始準備処理の進捗状況を表すプログレスバーＰＢ２６を有する。
図３８に示すように、第２６ユーザーインターフェースＵＩ２６において、プログレスバーＰＢ２６の下方には、開始準備処理を実行中であり、待機すべきことを示す文言ＭＳ２６（「運転準備をしています／しばらくお待ちください」。）が表示される。ユーザーは、プログレスバーＰＢ２６、及び、文言ＭＳ２６を参照することにより、開始準備処理を実行中であること、及び、待機すべき状況であることを、簡易に的確に認識できる。
制御部２０は、開始準備処理が完了したことを検出すると、第２６ユーザーインターフェースＵＩ２６の表示を停止し、第５ユーザーインターフェースＵＩ５を表示する。
【０１１２】
図３９は、シートの製造に係る処理を開始した後に表示される第５ユーザーインターフェースＵＩ５を示す図である。
特に、図３９は、タブＴＢ５ａに係る対応情報表示領域ＲＲ５が表示された状態の第５ユーザーインターフェースＵＩ５を示す。
図８と、図３９との比較で明らかなとおり、シートの製造に係る処理の実行中は、運転開始ボタンＵＢ５に代えて、運転停止ボタンＸＸ５が表示される。運転停止ボタンＸＸ５は、処理の中止を指示するタッチ操作ボタンである。運転停止ボタンＸＸ５がタッチ操作された場合にタッチパネル５に表示される画面、及び、制御部２０の処理については、後述する。
【０１１３】
図８と、図３９との比較で明らかなとおり、シートの製造に係る処理の実行中は、タブＴＢ５ａに係る対応情報表示領域ＲＲ５において、選択されたレシピを示す情報ＪＨ５ｈの右方に、色変更指示ボタンＲＢ５ａが表示される。色変更指示ボタンＲＢ５ａは、製造されるシートの色を変更する場合に操作されるタッチ操作ボタンである。
色変更指示ボタンＲＢ５ａがタッチ操作されたことを検出すると、制御部２０は、第２７ユーザーインターフェースＵＩ２７をポップアップ表示する。
【０１１４】
図４０は、第２７ユーザーインターフェースＵＩ２７を示す図である。
特に、図４０は、シート製造装置１が製造するシートが「色紙」である場合の第２７ユーザーインターフェースＵＩ２７を示す。
図４０に示すように、第２７ユーザーインターフェースＵＩ２７は、状態表示領域ＨＲ２７と、情報表示領域ＪＲ２７とを有する。状態表示領域ＨＲ２７には、状態情報ＪＪ２７（「レシピ設定」。）が表示される。
図４０と図１４との比較で明らかなとおり、シート製造装置１が製造するシートが「色紙」である場合において、第２７ユーザーインターフェースＵＩ２７の内容は、図１４で示す第７ユーザーインターフェースＵＩ７の色設定領域ＱＲ７の内容と同様である。これを踏まえ、図４０の第２７ユーザーインターフェースＵＩ２７に表示された情報、画像、その他のオブジェクトに対して、図１４で示す第７ユーザーインターフェースＵＩ７の色設定領域ＱＲ７に表示された情報、画像、その他のオブジェクトに付された符号と同一の符号を付し、その詳細な説明を省略する。
なお、図示は省略するが、シート製造装置１が製造するシートが「白紙」である場合、第２７ユーザーインターフェースＵＩ２７の内容は、図１６の第７ユーザーインターフェースＵＩ７の色設定領域ＱＲ７の内容と同様となる。
ユーザーは、第７ユーザーインターフェースＵＩ７を用いる場合と同様、第２７ユーザーインターフェースＵＩ２７を用いて、簡易に色に関する設定を行うことができる。
【０１１５】
図４０に示すように、第２７ユーザーインターフェースＵＩ２７の情報表示領域ＪＲ２７の下部には、第２７ユーザーインターフェースＵＩ２７への入力を確定する確定ボタンＫＢ２７が表示される。ユーザーは、第２７ユーザーインターフェースＵＩ２７に対する入力を確定する場合、確定ボタンＫＢ２７をタッチ操作する。制御部２０は、確定ボタンＫＢ２７がタッチ操作されたことを検出すると、ユーザーにより行われた設定を正常に反映できるか否かを判別する。制御部２０は、ユーザーにより行われた設定を正常に反映できる場合、設定が成功した旨の情報が表示された第２８ユーザーインターフェースＵＩ２８（図４１。）を表示することにより、ユーザーにその旨通知し、ユーザーの指示に応じて、第５ユーザーインターフェースＵＩ５を表示する。一方、制御部２０は、ユーザーにより行われた設定を正常に反映できない場合、設定に失敗した旨の情報が表示された第２９ユーザーインターフェースＵＩ２９（図４２。）を表示することにより、ユーザーにその旨通知し、ユーザーの指示に応じて、第５ユーザーインターフェースＵＩ５を表示する。
設定が成功した場合、第２７ユーザーインターフェースＵＩ２７に代えて、タッチパネル５に表示される第５ユーザーインターフェースＵＩ５において、タブＴＢ５ａに係る対応情報表示領域ＲＲ５には、選択されたレシピについて、第２７ユーザーインターフェースＵＩ２７を用いて行われた設定が反映された設定値が表示される。
【０１１６】
図４３は、タブＴＢ５ｂに係る対応情報表示領域ＲＲ５が表示された状態の第５ユーザーインターフェースＵＩ５を示す図である。
図４３と、図１１との比較で明らかなとおり、シートの製造に係る処理の実行中は、タブＴＢ５ｂに係る対応情報表示領域ＲＲ５に、給紙変更指示ボタンＲＢ５ｂが表示される。給紙変更指示ボタンＲＢ５ｂは、古紙の給紙に関する設定を変更する場合にタッチ操作されるタッチ操作ボタンである。
給紙変更指示ボタンＲＢ５ｂがタッチ操作されたことを検出すると、制御部２０は、第３０ユーザーインターフェースＵＩ３０をポップアップ表示する。
【０１１７】
図４４は、第３０ユーザーインターフェースＵＩ３０を示す図である。
図４４に示すように、第３０ユーザーインターフェースＵＩ３０は、状態表示領域ＨＲ３０と、情報表示領域ＪＲ３０とを有する。状態表示領域ＨＲ３０には、給紙に関する設定が行われていることを示す状態情報ＪＪ３０が表示される。
図４４に示すように、第３０ユーザーインターフェースＵＩ３０の内容は、シート製造装置１に装着された給紙ユニットに応じて変更され、その内容は、上述した第１５ユーザーインターフェースＵＩ１５の領域ＡＲ１５ａの内容と同様である。従って、給紙ユニットとして、オプションの給紙トレイが装着された状態の場合、情報表示領域ＪＲ３０には、給紙カセット１１と、給紙トレイと、給紙カセット１１と給紙トレイとの組み合わせとのいずれかを択一的に選択可能な３つの項目画像ＫＧ３０が表示される。ユーザーは、いずれかの項目画像ＫＧ３０をタッチ操作することにより、古紙の供給に利用する給紙ユニットを設定できる。これを踏まえ、図４４の第３０ユーザーインターフェースＵＩ３０に表示された情報、画像、その他のオブジェクトに対して、図２３で示す第１５ユーザーインターフェースＵＩ１５の領域ＡＲ１５ａに表示された情報、画像、その他のオブジェクトに付された符号と同一の符号を付し、その詳細な説明を省略する。
【０１１８】
図４４に示すように、第３０ユーザーインターフェースＵＩ３０の情報表示領域ＪＲ３０の下部には、第３０ユーザーインターフェースＵＩ３０への入力を確定する確定ボタンＫＢ３０が表示される。ユーザーは、第３０ユーザーインターフェースＵＩ３０に対する入力を確定する場合、確定ボタンＫＢ３０をタッチ操作する。制御部２０は、確定ボタンＫＢ３０がタッチ操作されたことを検出すると、ユーザーにより行われた設定を正常に反映できるか否かを判別する。制御部２０は、ユーザーにより行われた設定を正常に反映できる場合、設定が成功した旨の情報が表示された第３１ユーザーインターフェースＵＩ３１（図４５。）を表示することにより、ユーザーにその旨通知し、ユーザーの指示に応じて、第５ユーザーインターフェースＵＩ５を表示する。一方、制御部２０は、ユーザーにより行われた設定を正常に反映できない場合、設定に失敗した旨の情報が表示された第３２ユーザーインターフェースＵＩ３２（図４６。）を表示することにより、ユーザーにその旨通知し、ユーザーの指示に応じて、第５ユーザーインターフェースＵＩ５を表示する。
設定が成功した場合、第３１ユーザーインターフェースＵＩ３１に代えて、タッチパネル５に表示される第５ユーザーインターフェースＵＩ５において、タブＴＢ５ｂに係る対応情報表示領域ＲＲ５には、第３０ユーザーインターフェースＵＩ３０を用いて行われた設定が反映された情報が表示される。
【０１１９】
上述したように、シートの製造に係る処理の実行中は、第５ユーザーインターフェースＵＩ５に、運転停止ボタンＸＸ５が表示される（図３９参照。）。
運転停止ボタンＸＸ５がタッチ操作されたことを検出した場合、制御部２０は、即時にシートを製造する処理を停止することなく、第３３ユーザーインターフェースＵＩ３３をポップアップ表示する。
【０１２０】
図４７は、第３３ユーザーインターフェースＵＩ３３を示す図である。
第３３ユーザーインターフェースＵＩ３３は、シートを製造する処理を停止することについて、ユーザーに対して確認するユーザーインターフェースである。
図４７に示すように、第３３ユーザーインターフェースＵＩ３３は、状態表示領域ＨＲ３３と、情報表示領域ＪＲ３３とを有する。状態表示領域ＨＲ３３には、シートを製造する処理を停止することの確認を行っていることを示す状態情報ＪＪ３３（「確認」。）が表示される。
図４７に示すように、第３３ユーザーインターフェースＵＩ３３の情報表示領域ＪＲ３３には、シートを製造する処理を停止することの是非についてユーザーに対して問い合わせる文言ＭＳ３３（「「停止」ボタンが押されました／運転を停止してもよろしいですか」。）が表示される。また、情報表示領域ＪＲ３３において、文言ＭＳ３３の下方には、処理の停止を取り止める場合にタッチ操作される否定ボタンＮＢ３３と、処理の停止を指示する場合にタッチ操作される肯定ボタンＹＢ３３とが表示される。ユーザーは、シートの製造に係る処理の停止を実行しない場合は、否定ボタンＮＢ３３をタッチ操作し、シートの製造に係る処理の停止を実行する場合は、肯定ボタンＹＢ３３をタッチ操作する。
ここで、ユーザーが、第５ユーザーインターフェースＵＩ５の運転停止ボタンＸＸ５をタッチ操作した場合であっても、所定の事情により、処理の停止を取り止める場合が生じ得ると想定される。また、誤って運転停止ボタンＸＸ５がタッチ操作される場合もあり得ると想定される。これらの場合であっても、運転停止ボタンＸＸ５のタッチ操作に応じて、即時にシートの製造に係る処理が停止されるのではなく、第３３ユーザーインターフェースＵＩ３３により、シートの製造に係る処理を停止することについてユーザーに確認され、改めてユーザーの指示があって初めて処理を停止する構成のため、不必要に処理が停止されてしまう事態が発生することを防止できる。
【０１２１】
制御部２０は、第３３ユーザーインターフェースＵＩ３３の否定ボタンＮＢ３３がタッチ操作されたことを検出した場合、シートの製造に係る処理の停止を中止する。すなわち、制御部２０は、継続してシートの製造に係る処理を実行する。
制御部２０は、第３３ユーザーインターフェースＵＩ３３の肯定ボタンＹＢ３３がタッチ操作されたことを検出した場合、シートの製造に係る処理を停止するために必要な停止準備処理を実行すると共に、第３４ユーザーインターフェースＵＩ３４をタッチパネル５に表示する。停止準備処理は、シートの製造に係る処理を正常に停止するために行われる処理である。
【０１２２】
図４８は、第３４ユーザーインターフェースＵＩ３４を示す図である。
第３４ユーザーインターフェースＵＩ３４は、上述した停止準備処理を実行中であること、及び、停止準備処理の進捗状況を表すユーザーインターフェースである。
図４８に示すように、第３４ユーザーインターフェースＵＩ３４は、停止準備処理の進捗状況を表すプログレスバーＰＢ３４を有する。
図４８に示すように、第３４ユーザーインターフェースＵＩ３４において、プログレスバーＰＢ３４の下方には、停止準備処理を実行中であり、待機すべきことを示す文言ＭＳ３４（「運転を停止しています／しばらくお待ちください」。）が表示される。ユーザーは、プログレスバーＰＢ３４、及び、文言ＭＳ３４を参照することにより、停止準備処理を実行中であること、及び、待機すべき状況であることを、簡易に的確に認識できる。
制御部２０は、停止準備処理が完了したことを検出すると、第３４ユーザーインターフェースＵＩ３４の表示を停止し、第５ユーザーインターフェースＵＩ５を表示する。ここで、表示される第５ユーザーインターフェースＵＩ５は、図８で示す第５ユーザーインターフェースＵＩ５のように、処理を実行していない場合に表示される第５ユーザーインターフェースＵＩ５であり、第１ブロックＢＫ５ａには、運転開始ボタンＵＢ５が表示される。ユーザーは、運転開始ボタンＵＢ５をタッチ操作することにより、シート製造装置１によるシートの製造に係る処理を改めて開始させることができる。
【０１２３】
図１３に示すメニュー画面ＭＧの項目画像ＫＧＭＧｇ（シャットダウンを指示する場合にタッチ操作される画像）がタッチ操作されたことを検出した場合、制御部２０は、第３５ユーザーインターフェースＵＩ３５を表示する。
【０１２４】
図４９は、第３５ユーザーインターフェースＵＩ３５を示す図である。
第３５ユーザーインターフェースＵＩ３５は、シャットダウンすることについて、ユーザーに対して確認するユーザーインターフェースである。
図４９に示すように、第３５ユーザーインターフェースＵＩ３５は、状態表示領域ＨＲ３５と、情報表示領域ＪＲ３５とを有する。状態表示領域ＨＲ３５には、シャットダウンすることの確認を行っていることを示す状態情報ＪＪ３５が表示される。
図４９に示すように、第３５ユーザーインターフェースＵＩ３５の情報表示領域ＪＲ３５には、シートを製造する処理を停止することの是非についてユーザーに対して問い合わせる文言ＭＳ３５（「シャットダウンしてもよろしいですか」。）が表示される。また、情報表示領域ＪＲ３５において、文言ＭＳ３５の下方には、処理の停止を取り止める場合にタッチ操作される否定ボタンＮＢ３５と、処理の停止を指示する場合にタッチ操作される肯定ボタンＹＢ３５とが表示される。ユーザーは、シャットダウンを取り止める場合は、否定ボタンＮＢ３５をタッチ操作し、シャットダウンする場合は、肯定ボタンＹＢ３５をタッチ操作する。このように、第３５ユーザーインターフェースＵＩ３５でシャットダウンすることについてユーザーに確認することにより、第２５ユーザーインターフェースＵＩ２５、及び、第３３ユーザーインターフェースＵＩ３３と同様、不必要にシャットダウンが行われることを防止できる。
【０１２５】
制御部２０は、第３５ユーザーインターフェースＵＩ３５の否定ボタンＮＢ３５がタッチ操作されたことを検出した場合、シャットダウンを中止する。
制御部２０は、第３５ユーザーインターフェースＵＩ３５の肯定ボタンＹＢ３５がタッチ操作されたことを検出した場合、シャットダウンのために必要な処理（以下、「終了処理」という。）を実行すると共に、第３６ユーザーインターフェースＵＩ３６をタッチパネル５に表示する。
終了処理には、排水処理を含む。排水処理とは、加湿器に貯留する水を、シート製造装置１の装置本体の内部に設けられた機内タンクＱＴに排水して、機内タンクＱＴに、一旦、貯留する処理である。ユーザーは、機内タンクＱＴに貯留した水を、さらに、シート製造装置１の外部の容器に排水して貯留し、当該容器に貯留した水を廃棄する必要がある。
制御部２０は、終了処理の開始後、まず、排水処理を実行する。排水処理と並行して実行可能な処理を、排水処理と並行して行う構成でもよい。
【０１２６】
図５０は、第３６ユーザーインターフェースＵＩ３６を示す図である。
第３６ユーザーインターフェースＵＩ３６は、排水処理を実行中であること、及び、排水処理の進捗状況を表すユーザーインターフェースである。
図５０に示すように、第３６ユーザーインターフェースＵＩ３６は、排水処理の進捗状況を表すプログレスバーＰＢ３６を有する。
図５０に示すように、第３６ユーザーインターフェースＵＩ３６において、プログレスバーＰＢ３６の下方には、排水処理を実行中であることを示す文言ＭＳ３６ａ（「終了処理中（排水処理）」。）、及び、シート製造装置１に対して操作を行わないよう注意を促す文言ＭＳ３６ｂ（「操作をしないでください」。）が表示される。ユーザーは、プログレスバーＰＢ３６、及び、文言ＭＳ３６ａ、ＭＳ３６ｂを参照することにより、排水処理が実行中であること、排水処理の進捗状況、及び、現段階で注意すべきことを、簡易に的確に認識できる。
制御部２０は、排水処理が完了したことを検出すると、第３６ユーザーインターフェースＵＩ３６に代えて、第３７ユーザーインターフェースＵＩ３７をタッチパネル５に表示する。
【０１２７】
図５１は、第３７ユーザーインターフェースＵＩ３７を示す図である。
第３７ユーザーインターフェースＵＩ３７は、機内タンクＱＴに貯留した水を排水することを促すと共に、排水の手順を示すユーザーインターフェースである。
図５１に示すように、第３７ユーザーインターフェースＵＩ３７は、状態表示領域ＨＲ３７と、情報表示領域ＪＲ３７とを有する。状態表示領域ＨＲ３７には、ユーザーが排水を行う必要があることを示す状態情報ＪＪ３７が表示される。
図５１に示すように、第３７ユーザーインターフェースＵＩ３７の情報表示領域ＪＲ３７には、シート製造装置１の正面図を表す画像ＩＭ３７ａが表示される。また、第３７ユーザーインターフェースＵＩ３７には、画像ＩＭ３７ａにおける前カバー９の位置と関連付けて、前カバー９を拡大した画像ＩＭ３７ｂが表示される。
図５１に示すように、第３７ユーザーインターフェースＵＩ３７において、画像ＩＭ３７ａの下方には、機内タンクＱＴから排水を行う必要があることを示す文言ＭＳ３７ａ（「機内タンクＱＴの水を排水します」）が表示される。文言ＭＳ３７ａの下方には、排水の手順を示す文言ＭＳ３７ｂ（「前カバーを開けて排水ホースを取り出し、・・・／排水ボタンを押してください・・・／排水が完了したら・・・」。）が表示される。
ユーザーは、文言ＭＳ３７ａを参照することにより、排水を行うべきことを簡易に認識できる。また、ユーザーは、文言ＭＳ３７ｂを参照することにより、排水の手順を簡易に認識できる。特に、排水の手順には、前カバー９を開ける作業、及び、前カバー９を閉じる作業が含まれるが、画像ＩＭ３７ａ、及び、画像ＩＭ３７ｂにより、シート製造装置１における前カバー９の位置が明示されるため、ユーザーは、文言ＭＳ３７ｂと併せて画像ＩＭ３７ａ及び画像ＩＭ３７ｂを参照することにより、排水に必要な作業を的確に認識できる。
制御部２０は、ユーザーにより所定の作業が行われ、排水が完了したことを検出すると、未処理の終了処理を実行すると共に、タッチパネル制御部２１を制御して、第３７ユーザーインターフェースＵＩ３７に代えて、第３８ユーザーインターフェースＵＩ３８を表示する。
【０１２８】
図５２は、第３８ユーザーインターフェースＵＩ３８を示す図である。
第３８ユーザーインターフェースＵＩ３８は、終了処理を実行中であること、及び、終了処理の進捗状況を表すユーザーインターフェースである。
図５２に示すように、第３８ユーザーインターフェースＵＩ３８は、排水処理の進捗状況を表すプログレスバーＰＢ３８を有する。
図５２に示すように、第３８ユーザーインターフェースＵＩ３８において、プログレスバーＰＢ３８の下方には、終了処理を実行中であることを示す文言ＭＳ３８ａ（「終了処理中」。）、及び、シート製造装置１の電源を切らないよう注意を促す文言ＭＳ３８ｂ（「電源を切らないでください」。）が表示される。ユーザーは、プログレスバーＰＢ３８、及び、文言ＭＳ３８ａ、ＭＳ３８ｂを参照することにより、終了処理が実行中であること、終了処理の進捗状況、及び、現段階で注意すべきことを、簡易に的確に認識できる。
制御部２０は、終了処理が完了したことを検出すると、第３８ユーザーインターフェースＵＩ３８に代えて、第３９ユーザーインターフェースＵＩ３９をタッチパネル５に表示する。
【０１２９】
図５３は、第３９ユーザーインターフェースＵＩ３９を示す図である。
図５３に示すように、第３９ユーザーインターフェースＵＩ３９には、風景のイラストを示す画像ＩＭ３９が表示される。画像ＩＭ３９の下方には、終了処理が完了したこと、及び、ブレーカースイッチ８をオフすべきことを表す文言ＭＳ３９が表示される。ユーザーは、第３９ユーザーインターフェースＵＩ３９を参照することにより、終了処理が完了したこと、及び、ブレーカースイッチ８をオフすべきことを簡易に、的確に認識できる。
【０１３０】
次に、シートの製造に係る処理を実行中に、非常停止ボタン６がオンされた場合にタッチパネル５に表示される画面について説明する。
非常停止ボタン６がオンされたことを検出した場合、制御部２０は、非常停止処理を実行すると共に、第４０ユーザーインターフェースＵＩ４０をポップアップ表示する。非常停止処理は、実行中のシートの製造に係る処理を緊急で停止するために必要な処理を行って、シートの製造に係る処理を停止する処理である。
また、制御部２０は、非常停止ボタン６が操作されたことを検出した場合、第４０ユーザーインターフェースＵＩ４０をポップアップ表示する。
【０１３１】
図５４は、第４０ユーザーインターフェースを示す図である。
図５４に示すように、第４０ユーザーインターフェースＵＩ４０は、非常停止処理の進捗状況を表すプログレスバーＰＢ４０を有する。
図５４に示すように、第４０ユーザーインターフェースＵＩ４０において、プログレスバーＰＢ４０の下方には、非常停止ボタン６がオンされたこと、及び、非常停止処理が完了するまで待機すべきことを示す文言ＭＳ４０（「非常停止ボタンが押されました／しばらくお待ちください」。）が表示される。ユーザーは、プログレスバーＰＢ４０、及び、文言ＭＳ４０を参照することにより、非常停止処理を実行中であること、及び、待機すべき状況であることを、簡易に的確に認識できる。
制御部２０は、非常停止処理が完了したことを検出すると、第４０ユーザーインターフェースＵＩ４０の表示を停止し、第４１ユーザーインターフェースＵＩ４１をタッチパネル５に表示する。
【０１３２】
図５５は、第４１ユーザーインターフェースＵＩ４１を示す図である。
図５５に示すように、第４１ユーザーインターフェースＵＩ４１は、状態表示領域ＨＲ４１と、情報表示領域ＪＲ４１とを有する。状態表示領域ＨＲ４１には、非常停止したことを示す状態情報ＪＪ４１（「非常停止」。）が表示される。情報表示領域ＪＲ４１には、非常停止処理が完了し、処理を停止したこと、及び、ユーザーがブレーカースイッチ８をオフした後、非常停止ボタン６をオフすべきことを表す文言ＭＳ４１が表示される。ユーザーは、文言ＭＳ４１を参照することにより、シート製造装置１によるシートを製造する処理が停止したこと、及び、ブレーカースイッチ８をオフした後、非常停止ボタン６をオフすべきことを簡易に、的確に認識できる。
【０１３３】
次に、シートの製造に係る処理を実行中に、シート製造装置１に、シートの製造に係る処理を停止する必要があるエラー（以下、「停止エラー」という。）が発生した場合に、タッチパネル５に表示される画面について説明する。停止エラーは、例えば、樹脂の不足や、水の不足、原料の不足等、シートの製造に利用する消耗品の不足や、搬送経路におけるエラー（紙ジャム等。）、所定の機構の温度異常等である。
シートの製造に係る処理を実行中に、停止エラーが発生したことを検出した場合、制御部２０は、上述した非常停止処理の実行を開始すると共に、第４２ユーザーインターフェースＵＩ４２をタッチパネル５にポップアップ表示する。
【０１３４】
図５６は、第４２ユーザーインターフェースＵＩ４２を示す図である。
第４２ユーザーインターフェースＵＩ４２は、停止エラーの発生に伴う非常停止処理を実行中であること、及び、非常停止処理の進捗状況を表すユーザーインターフェースである。
図５６に示すように、第４２ユーザーインターフェースＵＩ４２は、非常停止処理の進捗状況を表すプログレスバーＰＢ４２を有する。
図５６に示すように、第４２ユーザーインターフェースＵＩ４２において、プログレスバーＰＢ４２の下方には、非常停止処理を実行中であり、待機すべきことを示す文言ＭＳ４２（「装置に異常が発生したため運転を停止しています／しばらくお待ちください」。）が表示される。ユーザーは、プログレスバーＰＢ４２、及び、文言ＭＳ４２を参照することにより、非常停止処理を実行中であること、及び、待機すべき状況であることを、簡易に的確に認識できる。
制御部２０は、非常停止処理が完了したことを検出すると、第４２ユーザーインターフェースＵＩ４２の表示を停止し、第４３ユーザーインターフェースＵＩ４３を表示する。
【０１３５】
図５７は、第４３ユーザーインターフェースＵＩ４３を示す図である。
図５７に示すように、第４３ユーザーインターフェースＵＩ４３は、状態表示領域ＨＲ４３と、情報表示領域ＪＲ４３とを有する。状態表示領域ＨＲ４３には、エラーが発生していることを示す状態情報ＪＪ４３が表示される。
図５７に示すように、第４３ユーザーインターフェースＵＩ４３の情報表示領域ＪＲ４３は、領域として、上部に形成された領域ＡＲ４３ａと、下部に形成された領域ＡＲ４３ｂとを有する。領域ＡＲ４３ａは、発生したエラーのそれぞれについて、エラーの内容を示す情報が表示された項目画像ＫＧ４３が表示される。項目画像ＫＧ４３は、タッチ操作ボタンであり、ユーザーは、詳細な情報を参照したいエラーについて、対応する項目画像ＫＧ４３をタッチ操作する。
領域ＡＲ４３ｂには、領域ＡＲ４３ａでユーザーにより選択されたエラーに関する詳細な情報が表示される。
図５７に示すように、領域ＡＲ４３ｂの左部には、シート製造装置１の正面図を表す画像ＩＭ４３が表示される。画像ＩＭ４３で表された画像には、エラーの内容に応じて、適宜、エラーに関する情報、画像、その他のオブジェクトが表示される。例えば、エラーが、シート製造装置１の所定の位置で発生している場合には、当該所定の位置を明示する情報が画像ＩＭ４３と対応付けて表示され、また例えば、エラーを解消するために、シート製造装置１の所定の位置に対する操作を行う必要がある場合、当該所定の位置を明示する情報が画像ＩＭ４３と対応付けて表示される。
図５７に示すように、画像ＩＭ４３の右方には、エラーの詳細な内容を示す文言ＭＳ４３が表示される。
ユーザーは、画像ＩＭ４３、及び、文言ＭＳ４３を参照することにより、エラーの詳細な内容を、簡易かつ的確に認識できる。
【０１３６】
図５７に示すように、領域ＡＲ４３ｂにおいて、画像ＩＭ４３の下方には、シャットダウンを指示するシャットダウンボタンＳＢ４３が表示される。シャットダウンボタンＳＢ４３がタッチ操作された場合に表示される画面、及び、制御部２０の処理については上述したとおりである。
また、シャットダウンボタンＳＢ４３の右方には、エラー解除ボタンＥＫ４３が表示される。エラー解除ボタンＥＫ４３は、選択したエラーについて、エラーを解消する作業を行い、エラーが解消した場合に操作されるタッチ操作ボタンである。制御部２０は、エラー解除ボタンＥＫ４３がタッチ操作されたことを検出した場合、エラーが解消しているか否かを判別し、エラーが解消している場合は、対応するエラーに係る項目画像ＫＧ４３を領域ＡＲ４３ａから削除する。
【０１３７】
また、選択されたエラーについて、エラーの解消のために、所定のカバーのロックを解除する必要がある場合、領域ＡＲ４３ｂには、ロックの解除を指示するロック解除ボタンＲＢ４３（図５８）が表示される。図５７は、ロック解除ボタンＲＢ４３が表示されてない状態の第４３ユーザーインターフェースＵＩ４３を示し、図５８は、ロック解除ボタンＲＢ４３が表示された状態の第４３ユーザーインターフェースＵＩ４３を示す。
図５８に示すように、領域ＡＲ４３ｂにおいて、ロック解除ボタンＲＢ４３は、シャットダウンボタンＳＢ４３と、エラー解除ボタンＥＫ４３との間で挟まれた位置に、表示される。エラー解除ボタンＥＫ４３がタッチ操作されたことを検出した場合、制御部２０は、ロック部２４を制御して、所定のカバーのロックを解除する。
ユーザーは、エラーの解消のために所定のカバーのロックを解除する必要がある場合に、ロック解除ボタンＲＢ４３をタッチ操作するという簡易な作業を行うことにより、ロックを解除できる。
【０１３８】
次にサービスコールエラーが発生した場合に表示される画面、及び、制御部２０の処理について説明する。
サービスコールエラーとは、装置の再起動が必要なエラーであって、装置を再起動しても解消しない場合、メンテナンスを担当するサービスセンターに連絡することが必要なエラーである。
制御部２０は、サービスコールエラーが発生したことを検出した場合、第４４ユーザーインターフェースＵＩ４４をタッチパネル５に表示する。
【０１３９】
図５９は、第４４ユーザーインターフェースＵＩ４４を示す図である。
図５９に示すように、第４４ユーザーインターフェースＵＩ４４は、状態表示領域ＨＲ４４と、情報表示領域ＪＲ４４とを有する。状態表示領域ＨＲ４４には、サービスコールエラーが発生したことを示す状態情報ＪＪ４４が表示される。
第４４ユーザーインターフェースＵＩ４４の情報表示領域ＪＲ４４の左部における上部には、サービスコールエラーが発生したこと、及び、サービスコールエラーに対する対処を示す文言ＭＳ４４（「サービスコールエラーが発生しました／装置を再起動しても・・・／サービスセンターに連絡し、・・・」。）が表示される。
文言ＭＳ４４の下方には、発生したエラーのそれぞれについて、エラーコード（エラーを一意に識別する識別情報。）が一覧表示されたエラー一覧情報ＥＪ４４が表示される。
ユーザーは、文言ＭＳ４４を参照することにより、サービスコールエラーに対する対処を簡易かつ的確に認識できる。また、ユーザーは、サービスセンターのメンテナンサーに連絡する場合、エラー一覧情報ＥＪ４４に表示されたエラーコードを利用して、発生したエラーを的確に伝えることができる。
図５９に示すように、第４４ユーザーインターフェースＵＩ４４の情報表示領域ＪＲ４４の右部には、シート製造装置１に関する装置情報が一覧表示された装置一覧情報ＳＪ４４が表示される。装置一覧情報ＳＪ４４は、シート製造装置１の製品名、シリアルＮｏ、ファームウェアのバージョン、及び、タッチパネル５の表示を制御するアプリケーションのバージョンを含む。
また、第４４ユーザーインターフェースＵＩ４４の情報表示領域ＪＲ４４の下部には、シャットダウンボタンＳＢ４４が表示される。
【０１４０】
以上説明したように、本実施形態に係るシート製造装置１は、繊維を含む原料が供給され、供給された原料を加工してシートを製造する。シート製造装置１は、供給される原料に関する原料情報と、製造するシートに関する製造情報と、シートの加工に関する加工情報とが表示された第５ユーザーインターフェースＵＩ５（ユーザーインターフェース）を表示させる制御部２０を備える。
この構成によれば、ユーザーは、原料情報と、製造情報と、加工情報について、ユーザーインターフェースを遷移させることなく、同一のユーザーインターフェースを介して同時に参照でき、ユーザーの利便性が向上する。特に、原料情報と、製造情報と、加工情報とは、内容が関連した情報であり、ユーザーが同時に参照し、比較することを望む情報と想定されるため、本実施形態によれば、より的確にユーザーの利便性を向上できる。
【０１４１】
また、本実施形態において、原料情報に、所定の期間で供給され消費された原料の量に関する情報と、原料の残量に関する情報と、供給された原料に基づくシートの製造を開始した後に消費した原料の量に関する情報とのいずれかを含む構成とできる。
この構成によれば、ユーザーは、第５ユーザーインターフェースＵＩ５を参照することにより、簡易に的確に、所定の期間で供給され消費された原料の量に関する情報と、原料の残量に関する情報と、供給された原料に基づくシートの製造を開始した後に消費した原料の量に関する情報とを認識できる。
【０１４２】
また、本実施形態において、製造情報に、所定の期間で製造されたシートの枚数に関する情報と、供給された原料に基づくシートの製造を開始した後に製造されたシートの枚数に関する情報とのいずれかを含む構成とできる。
この構成によれば、ユーザーは、第５ユーザーインターフェースＵＩ５を参照することにより、簡易に的確に、所定の期間で製造されたシートの枚数に関する情報と、供給された原料に基づくシートの製造を開始した後に製造されたシートの枚数に関する情報とを認識できる。
【０１４３】
また、本実施形態において、原料は、紙状の古紙である。
この構成によれば、紙状の古紙が供給され、シートを製造するシート製造装置１について、ユーザーの利便性を向上できる。
【０１４４】
また、本実施形態では、第５ユーザーインターフェースＵＩ５は、表示される情報の内容に応じた複数のブロックから構成されており、原料情報と製造情報とは、同一の第１ブロックＢＫ５ａに表示される。
ここで、原料情報の内容と製造情報の内容とは関連しており、ユーザーは、原料情報と、製造情報とを同時に参照し、これら情報の内容を比較することを望むものと想定される。以上を踏まえ、製造情報と、原料情報とが、同一のブロックに表示されることにより、ユーザーは、製造情報と原料情報とが関連する情報であることを的確に認識できると共に、これら情報を同時に参照し、これら情報の内容を的確に比較することができる。
【０１４５】
また、本実施形態では、加工情報は、製造するシートの色に関する情報（レシピ関連情報ＲＰ５）を含む。
この構成によれば、ユーザーは、第５ユーザーインターフェースＵＩ５に表示された加工情報を参照することにより、製造するシートの色について、簡易に的確に認識できる。
【０１４６】
また、本実施形態に係るシート製造装置１は、複数色の樹脂を色ごとに貯留する複数の樹脂カートリッジＫＴを備える。また、シートを製造する所定の工程（混合工程Ｋ６）で、原料に基づく所定の材料に対して、１又は複数の樹脂カートリッジＫＴから樹脂が供給される。そして、加工情報は、製造する前記シートの色に関する情報として、所定の材料に対して供給される樹脂の色に関する情報を含む。
この構成によれば、ユーザーは、第５ユーザーインターフェースＵＩ５の加工情報を参照することにより、所定の材料に対して供給される樹脂の色について、簡易に的確に認識できる。
【０１４７】
また、本実施形態では、加工情報は、所定の材料に対して供給される樹脂の色に関する情報として、各色の配合に関する情報を含む。
この構成によれば、ユーザーは、第５ユーザーインターフェースＵＩ５の加工情報を参照することにより、供給される樹脂の色の配合について、簡易に的確に認識できる。
【０１４８】
また、本実施形態に係るシート製造装置１は、所定のサイズのシートを製造可能である。そして、加工情報は、製造するシートのサイズに関する情報を含む。
この構成によれば、ユーザーは、第５ユーザーインターフェースＵＩ５の加工情報を参照することにより、製造するシートのサイズについて、簡易に的確に認識できる。
【０１４９】
また、本実施形態に係るシート製造装置１は、所定の厚さのシートを製造可能である。そして、加工情報は、製造するシートの厚さに関する情報を含む。
この構成によれば、ユーザーは、第５ユーザーインターフェースＵＩ５の加工情報を参照することにより、製造するシートの厚さについて、簡易に的確に認識できる。
【０１５０】
また、本実施形態において、制御部２０は、第５ユーザーインターフェースＵＩ５に、警告に関する警告情報を一覧表示する。
この構成によれば、ユーザーは、第５ユーザーインターフェースＵＩ５を参照することにより、警告に関し簡易に的確に認識できる。
【０１５１】
また、本実施形態において、制御部２０は、第５ユーザーインターフェースＵＩ５に、装置本体の状態に関する状態情報を表示する。
この構成によれば、ユーザーは、第５ユーザーインターフェースＵＩ５を参照することにより、装置本体の状態について、簡易に的確に認識できる。
【０１５２】
また、本実施形態において、状態情報は、シート製造装置１がシートを製造する処理を実行中か否かを示す情報を含む。
この構成によれば、ユーザーは、第５ユーザーインターフェースＵＩ５を参照することにより、シート製造装置１がシートを製造する処理を実行中か否かについて、簡易に的確に認識することができる。
【０１５３】
また、本実施形態において、状態情報は、供給された原料に基づくシートの製造を開始してからの運転時間に関する情報を含む。
この構成によれば、ユーザーは、第５ユーザーインターフェースＵＩ５を参照することにより、供給された原料に基づくシートの製造を開始してからの運転時間について、簡易に的確に認識できる。
【０１５４】
また、本実施形態において、第５ユーザーインターフェースＵＩ５は、シートを製造する処理の開始を指示する操作ボタン（運転開始ボタンＵＢ５）を有する。制御部２０は、運転開始ボタンＵＢ５がタッチ操作されたことを検出した場合、シートを製造する処理を開始する。
この構成によれば、ユーザーは、第５ユーザーインターフェースＵＩ５から他のユーザーインターフェースに遷移させることなく、運転開始ボタンＵＢ５をタッチ操作するという簡易な作業を行うことによって、シートの製造を開始させることができる。
【０１５５】
次に、変形例について説明する。
【０１５６】
＜変形例１＞
次に、第５ユーザーインターフェースＵＩ５の第１変形例（変形例１）について説明する。
図６０は、第５ユーザーインターフェースＵＩ５の第１変形例である第４５ユーザーインターフェースＵＩ４５を示す図である。図６０の第４５ユーザーインターフェースＵＩ４５において、図８の第５ユーザーインターフェースＵＩ５と同様の構成要素については、同一の符号を付し、その説明を省略する。
図８を用いて説明したように、第５ユーザーインターフェースＵＩ５の第２ブロックＢＫ５ｂには、タブＴＢ５ａ〜ＴＢ５ｃが表示される。そして、第５ユーザーインターフェースＵＩ５は、タブＴＢ５ａ〜ＴＢ５ｃを用いて、対応情報表示領域ＲＲ５に表示される情報が変更される構成であった。
一方、図６０に示す第４５ユーザーインターフェースＵＩ４５の第２ブロックＢＫ５ｂは、タブＴＢ５ａ〜ＴＢ５ｃに代えて、選択用画像トＳＯ４５が表示される。選択用画像トＳＯ４５は、それぞれタッチ操作ボタンである第１画像ＳＯ４５１と、第２画像ＳＯ４５２と、第３画像ＳＯ４５３とを有する。第１画像ＳＯ４５１は、対応情報表示領域ＲＲ５に、レシピ関連情報ＲＰ５を表示することを指示するタッチ操作ボタンである。第２画像ＳＯ４５２は、対応情報表示領域ＲＲ５に、給紙／排紙情報ＫＨ５を表示することを指示するタッチ操作ボタンである。第３画像ＳＯ４５３は、対応情報表示領域ＲＲ５に、消耗品情報ＳＪ５を表示することを指示するタッチ操作ボタンである。ユーザーは、第１画像ＳＯ４５１と、第２画像ＳＯ４５２と、第３画像ＳＯ４５３との何れかをタッチ操作することによって、対応情報表示領域ＲＲ５に表示する情報を選択する。第１画像ＳＯ４５１と、第２画像ＳＯ４５２と、第３画像ＳＯ４５３とのうち、ユーザーにより選択された画像は、背景の色が所定の色へと変更され、選択された状態であることが明示される。
第５ユーザーインターフェースＵＩ５の第１変形例に示すように、対応情報表示領域ＲＲ５に表示される情報を、第１画像ＳＯ４５１と、第２画像ＳＯ４５２と、第３画像ＳＯ４５３とのいずれかの画像をタッチ操作することによって選択する構成であっても、ユーザーは、簡易に選択を行うことができ、ユーザーの利便性が高い。
また、図６０に示すように、状態表示領域ＨＲ４５には、樹脂状態情報ＪＱ４５が表示される。樹脂状態情報ＪＱ４５は、樹脂の色のそれぞれについて、樹脂が不足した状態か否かを示す情報である。なお、樹脂状態情報ＪＱ４５は、シートの製造にあたって原料に対して供給する樹脂を示す情報であってもよい。
【０１５７】
＜変形例２＞
次に、第５ユーザーインターフェースＵＩ５の第２変形例（変形例２）について説明する。
図６１は、第５ユーザーインターフェースＵＩ５の第２変形例である第４６ユーザーインターフェースＵＩ４６を示す図である。図６１の第４６ユーザーインターフェースＵＩ４６において、図８の第５ユーザーインターフェースＵＩ５と同様の構成要素、及び、図６０の第４５ユーザーインターフェースＵＩ４５と同様の構成要素については、同一の符号を付し、その説明を省略する。
図８を用いて説明したように、第５ユーザーインターフェースＵＩ５の第２ブロックＢＫ５ｂには、タブＴＢ５ａ〜ＴＢ５ｃが表示される。そして、第５ユーザーインターフェースＵＩ５は、タブＴＢ５ａ〜ＴＢ５ｃを用いて、対応情報表示領域ＲＲ５に表示される情報が変更される構成であった。
一方、図６１に示す第４６ユーザーインターフェースＵＩ４６の第２ブロックＢＫ５ｂには、タブＴＢ５ａ〜ＴＢ５ｃに代えて、左遷移ボタンＬＸ４６、及び、右遷移ボタンＲＸ４６が表示される。左遷移ボタンＬＸ４６、及び、右遷移ボタンＲＸ４６は、それぞれ、対応情報表示領域ＲＲ５に表示される情報を、レシピ関連情報ＲＰ５、給紙／排紙情報ＫＨ５、及び、消耗品情報ＳＪ５の間で、所定の順番で遷移させることを指示するタッチ操作ボタンである。例えば、図６１に示す第４６ユーザーインターフェースＵＩ４６は、レシピ関連情報ＲＰ５が表示された状態である。この状態から、右遷移ボタンＲＸ４６がタッチ操作されると、対応情報表示領域ＲＲ５に表示される情報がレシピ関連情報ＲＰ５から給紙／排紙情報ＫＨ５へと切り替わり、この状態で、さらに、右遷移ボタンＲＸ４６が操作されると、対応情報表示領域ＲＲ５に表示される情報が給紙／排紙情報ＫＨ５から消耗品情報ＳＪ５へと切り替わる。
第５ユーザーインターフェースＵＩ５の第２変形例に示すように、対応情報表示領域ＲＲ５に表示される情報を、左遷移ボタンＬＸ４６と右遷移ボタンＲＸ４６とのいずれかのボタンをタッチ操作することによって選択する構成であっても、ユーザーは、簡易に選択を行うことができ、ユーザーの利便性が高い。
【０１５８】
＜変形例３＞
次に、第５ユーザーインターフェースＵＩ５の第３変形例（変形例３）について説明する。
図６２は、第５ユーザーインターフェースＵＩ５の第３変形例である第４７ユーザーインターフェースＵＩ４７を示す図である。図６２の第４７ユーザーインターフェースＵＩ４７において、図８の第５ユーザーインターフェースＵＩ５と同様の構成要素、及び、図６０の第４５ユーザーインターフェースＵＩ４５と同様の構成要素については、同一の符号を付し、その説明を省略する。
図８を用いて説明したように、第５ユーザーインターフェースＵＩ５の第２ブロックＢＫ５ｂには、タブＴＢ５ａ〜ＴＢ５ｃが表示される。そして、第５ユーザーインターフェースＵＩ５は、タブＴＢ５ａ〜ＴＢ５ｃを用いて、対応情報表示領域ＲＲ５に表示される情報が変更される構成であった。
一方、図６２に示す第４７ユーザーインターフェースＵＩ４７の第２ブロックＢＫ５ｂには、タブＴＢ５ａ〜ＴＢ５ｃに代えて、上遷移ボタンＵＸ４７、及び、下遷移ボタンＤＸ４７が表示される。上遷移ボタンＵＸ４７、及び、下遷移ボタンＤＸ４７は、それぞれ、対応情報表示領域ＲＲ５に表示される情報を、レシピ関連情報ＲＰ５、給紙／排紙情報ＫＨ５、及び、消耗品情報ＳＪ５の間で、所定の順番で遷移させることを指示するタッチ操作ボタンである。例えば、図６２に示す第４７ユーザーインターフェースＵＩ４７は、レシピ関連情報ＲＰ５が表示された状態である。この状態から、下遷移ボタンＤＸ４７がタッチ操作されると、対応情報表示領域ＲＲ５に表示される情報がレシピ関連情報ＲＰ５から給紙／排紙情報ＫＨ５へと切り替わり、この状態で、さらに、下遷移ボタンＤＸ４７が操作されると、対応情報表示領域ＲＲ５に表示される情報が給紙／排紙情報ＫＨ５から消耗品情報ＳＪ５へと切り替わる。
第５ユーザーインターフェースＵＩ５の第３変形例に示すように、対応情報表示領域ＲＲ５に表示される情報を、上遷移ボタンＵＸ４７と下遷移ボタンＤＸ４７とのいずれかのボタンをタッチ操作することによって選択する構成であっても、ユーザーは、簡易に選択を行うことができ、ユーザーの利便性が高い。
【０１５９】
＜変形例４＞
次に、第５ユーザーインターフェースＵＩ５の第４変形例（変形例４）について説明する。
図６３は、第５ユーザーインターフェースＵＩ５の第４変形例である第４８ユーザーインターフェースＵＩ４８を示す図である。図６３の第４８ユーザーインターフェースＵＩ４８において、図８の第５ユーザーインターフェースＵＩ５と同様の構成要素、及び、図６０の第４５ユーザーインターフェースＵＩ４５と同様の構成要素については、同一の符号を付し、その説明を省略する。
図８を用いて説明したように、第５ユーザーインターフェースＵＩ５の第２ブロックＢＫ５ｂには、タブＴＢ５ａ〜ＴＢ５ｃが表示される。そして、第５ユーザーインターフェースＵＩ５は、タブＴＢ５ａ〜ＴＢ５ｃを用いて、対応情報表示領域ＲＲ５に表示される情報が変更される構成であった。
一方、図６３に示す第４８ユーザーインターフェースＵＩ４８の第２ブロックＢＫ５ｂには、タブＴＢ５ａ〜ＴＢ５ｃに代えて、プルダウンメニューＰＭ４８が表示される。プルダウンメニューＰＭ４８は、対応情報表示領域ＲＲ５に表示される情報（レシピ関連情報ＲＰ５、給紙／排紙情報ＫＨ５、及び、消耗品情報ＳＪ５）が、項目として表示されるプルダウンメニューである。なお、図６３では、プルダウンメニューＰＭ４８について、プルダウンメニューが閉じた状態である。ユーザーは、プルダウンメニューＰＭ４８に表示された項目のうち、１つの項目を選択することにより、対応情報表示領域ＲＲ５に表示する情報を選択できる。
第５ユーザーインターフェースＵＩ５の第４変形例に示すように、対応情報表示領域ＲＲ５に表示される情報を、プルダウンメニューＰＭ４８によって選択する構成であっても、ユーザーは、簡易に選択を行うことができ、ユーザーの利便性が高い。
【０１６０】
＜変形例５＞
次に、第５ユーザーインターフェースＵＩ５の第５変形例（変形例５）について説明する。
図６４は、第５ユーザーインターフェースＵＩ５の第５変形例である第４９ユーザーインターフェースＵＩ４９を示す図である。図６４の第４９ユーザーインターフェースＵＩ４９において、図１１の第５ユーザーインターフェースＵＩ５と同様の構成要素については、同一の符号を付し、その説明を省略する。
図６４は、タブＴＢ５ｂが選択された状態の第４９ユーザーインターフェースＵＩ４９を示す。
図１１と、図６４との比較で明らかなとおり、第４９ユーザーインターフェースＵＩ４９の対応情報表示領域ＲＲ５には、排紙残量を表す画像ＩＭ４９ａが表示される。排紙残量とは、自動停止枚数に対する、現時点で製造したシートの枚数の割合のことである。画像ＩＭ４９ａは、当該割合を、当該割合の値の大きさに応じて長さが変動するバーによって表す画像である。
ユーザーは、画像ＩＭ４９ａを参照することにより、排紙残量を簡易に的確に認識できる。
図６４に示すように、第４９ユーザーインターフェースは、タブとして、タブＴＢ５ａ〜ＴＢ５ｃに加え、タブＴＢ４９を有する。
【０１６１】
図６５は、タブＴＢ４９が選択された状態の第４９ユーザーインターフェースＵＩ４９を示す。
図６５に示すように、タブＴＢ４９が選択された場合、対応情報表示領域ＲＲ５には、画像ＩＭ４９ｂと、画像ＩＭ４９ｃとが表示される。
画像ＩＭ４９ｂは、水タンク残量を示す画像である。水タンク残量とは、機内タンクＱＴにおける水の残量のことである。画像ＩＭ４９ｂは、水タンク残量を、当該水タンク残量の大きさに応じて長さが変動するバーによって表す画像である。
画像ＩＭ４９ｃは、廃粉量を示す画像である。廃粉量とは、廃粉袋ＨＨにおける廃粉の量である。画像ＩＭ４９ｃは、廃粉量を、当該廃粉量の大きさに応じて長さが変動するバーによって表す画像である。
ユーザーは、画像ＩＭ４９ｂを参照することにより、水タンク残量を簡易に的確に認識できる。また、ユーザーは、画像ＩＭ４９ｃを参照することにより、廃粉量を簡易に的確に認識できる。
【０１６２】
＜変形例６＞
次に、第１２ユーザーインターフェースＵＩ１２の第１変形例（変形例６）について説明する。
図６６は、第１２ユーザーインターフェースＵＩ１２の第１変形例である第５０ユーザーインターフェースＵＩ５０を示す図である。図６６の第５０ユーザーインターフェースＵＩ５０において、図２０の第１２ユーザーインターフェースＵＩ１２と同様の構成要素については、同一の符号を付し、その説明を省略する。
【０１６３】
図６６に示すように、第５０ユーザーインターフェースＵＩ５０の情報表示領域ＪＲ１２には、用紙厚さのレベルを、左から右へ向かって段階的に高くなるように段差が設けられた階段状の画像によって表す画像ＩＭ５０が表示される。画像ＩＭ５０では、現時点で設定された用紙厚さのレベルに対応する段階の部分に所定の色でマークが付けられる。さらに、画像ＩＭ５０には、用紙厚さのレベルを文字によって表す情報が表示される。
ユーザーは、画像ＩＭ５０を参照することにより、簡易かつ的確に、用紙厚さのレベルを認識できる。
図６６に示すように、画像ＩＭ５０の左端部の左方には、用紙厚さのレベルの値をデクリメントするデクリメントボタンＤＢ５０がタッチ操作ボタンとして表示される。また、画像ＩＭ５０の右端部の右方には、用紙厚さのレベルの値をインクリメントするインクリメントボタンＩＢ５０が表示される。ユーザーは、用紙厚さのレベルの値について、デクリメントボタンＤＢ５０、及び、インクリメントボタンＩＢ５０をタッチ操作するという簡易な作業を行うことにより、「レベル１」〜「レベル１０」の範囲で、所望の値とすることができる。また、ユーザーによる用紙厚さのレベルの値の変更に応じて、画像ＩＭ５０の内容が、対応する値を示すように変更される。
【０１６４】
＜変形例７＞
次に、第１２ユーザーインターフェースＵＩ１２の第２変形例（変形例７）について説明する。
図６７は、第１２ユーザーインターフェースＵＩ１２の第２変形例である第５１ユーザーインターフェースＵＩ５１を示す図である。図６７の第５１ユーザーインターフェースＵＩ５１において、図２０の第１２ユーザーインターフェースＵＩ１２と同様の構成要素については、同一の符号を付し、その説明を省略する。
【０１６５】
図６７に示すように、第５１ユーザーインターフェースＵＩ５１の情報表示領域ＪＲ１２には、用紙厚さのレベルの値の多寡によって、枠内での長さが変動するバーＢＲ５１が表示される。バーＢＲ５１には、用紙厚さのレベルを文字によって表す情報が表示される。ユーザーは、バーＢＲ５１を参照することにより、簡易かつ的確に、用紙厚さのレベルを認識できる。
図６７に示すように、バーＢＲ５１の左端部の左方には、用紙厚さのレベルの値をデクリメントするデクリメントボタンＤＢ５１がタッチ操作ボタンとして表示される。また、バーＢＲ５１の右端部の右方には、用紙厚さのレベルの値をインクリメントするインクリメントボタンＩＢ５１が表示される。ユーザーは、用紙厚さのレベルの値について、デクリメントボタンＤＢ５１、及び、インクリメントボタンＩＢ５１をタッチ操作するという簡易な作業を行うことにより、「レベル１」〜「レベル１０」の範囲で、所望の値とすることができる。また、ユーザーによる用紙厚さのレベルの値の変更に応じて、バーＢＲ５１の内容が、対応する値を示すように変更される。
【０１６６】
図６７に示すように、バーＢＲ５１の下方には、参考値情報ＪＨ５１が表示される。
参考値情報ＪＨ５１は、用紙厚さの所定の複数のレベルのそれぞれについて、各レベルでシートを製造した場合におけるシートの厚さの目安が具体例をもって示された情報である。ユーザーは、参考値情報ＪＨ５１を参照することにより、所定のレベルで生成した場合に製造されるシートの厚さをイメージすることができる。
【０１６７】
＜変形例８＞
次に、第１２ユーザーインターフェースＵＩ１２の第３変形例（変形例８）について説明する。
図６８は、第１２ユーザーインターフェースＵＩ１２の第３変形例である第５２ユーザーインターフェースＵＩ５２を示す図である。図６８の第５２ユーザーインターフェースＵＩ５２において、図２０の第１２ユーザーインターフェースＵＩ１２と同様の構成要素については、同一の符号を付し、その説明を省略する。
【０１６８】
図６８に示すように、第５２ユーザーインターフェースＵＩ５２の情報表示領域ＪＲ１２には、画像ＩＭ５２が表示される。画像ＩＭ５２は、厚さが誇張されたシートの斜視図を示す画像と、シートの角の部分がレンズの内に位置するように配置されたルーペの画像を含む。
画像ＩＭ５２のルーペのレンズの内部において、シートの角の部分には、上下方向に１０個の層が形成され、用紙厚さのレベルに応じて下から上へ向かって所定の色によって対応する層が段階的に塗りつぶされることによって、用紙の厚さが表される。用紙厚さのレベルがレベル１の場合、画像ＩＭ５２のルーペのレンズの内部において、最も下位の層が所定の色によって塗りつぶされた状態となる。用紙厚さレベルがレベル１０の場合、画像ＩＭ５２のルーペのレンズの内部において、全ての層が所定の色によって塗りつぶされた状態となる。
画像ＩＭ５２を参照することにより、ユーザーは、用紙厚さが所定のレベルの場合におけるシートの厚さの状態を、直感的にイメージできる。
図６８に示すように、画像ＩＭ５２の右方には、用紙厚さのレベルが文字によって表された情報ＪＨ５２が表示される。情報ＪＨ５２の下方には、用紙厚さのレベルの値をデクリメントするデクリメントボタンＤＢ５２がタッチ操作ボタンとして表示される。また、情報ＪＨ５２の上方には、用紙厚さのレベルの値をインクリメントするインクリメントボタンＩＢ５２が表示される。ユーザーは、用紙厚さのレベルの値について、デクリメントボタンＤＢ５２、及び、インクリメントボタンＩＢ５２をタッチ操作するという簡易な作業を行うことにより、「レベル１」〜「レベル１０」の範囲で、所望の値とすることができる。また、ユーザーによる用紙厚さのレベルの値の変更に応じて、画像ＩＭ５２、及び、情報ＪＨ５２の内容が、対応する値を示すように変更される。
【０１６９】
＜変形例９＞
次に、第１２ユーザーインターフェースＵＩ１２の第４変形例（変形例９）について説明する。
図６９は、第１２ユーザーインターフェースＵＩ１２の第４変形例である第５３ユーザーインターフェースＵＩ５３を示す図である。図６９の第５３ユーザーインターフェースＵＩ５３において、図２０の第１２ユーザーインターフェースＵＩ１２と同様の構成要素、及び、図６８の第５２ユーザーインターフェースＵＩ５２と同様の構成要素については、同一の符号を付し、その説明を省略する。
【０１７０】
図６９に示すように、第５４ユーザーインターフェースＵＩ５４の情報表示領域ＪＲ１２には、画像ＩＭ５３が表示される。画像ＩＭ５３は、図６８で説明した画像ＩＭ５２からルーペの画像を取り除くと共に、シートの各層の区切りを点線で表した図である。
第５３ユーザーインターフェースＵＩ５３によれば、第５２ユーザーインターフェースＵＩ５２と同様の効果を得ることができる。
【０１７１】
＜変形例１０＞
図７０は、変形例１０に係る第５４ユーザーインターフェースＵＩ５４を示す図である。
図７０に示す第５４ユーザーインターフェースＵＩ５４を、所定の場合に、表示する構成でもよい。
図７０に示すように、第５４ユーザーインターフェースＵＩ５４には、画像ＩＭ５４ａと、画像ＩＭ５４ｂと、画像ＩＭ５４ｃとが表示される。
画像ＩＭ５４ａは、枠状の画像の内部に、原料として消費された古紙の枚数を示す情報（「入△１２１」。）（△はスペースを示す。以下同じ。）と、製造したシートの枚数を示す情報（「出△８４」。）と、が表示された画像である。ユーザーは、画像ＩＭ５４ａを参照することにより、簡易かつ的確に、原料として消費された古紙の枚数と、製造したシートの枚数とを認識できると共に、これらを簡易に比較できる。
画像ＩＭ５４ｂは、枠状の画像の内部に、シート製造装置１が製造するシートの枚数が、自動停止枚数に至るまでに要すると予想される時間を示す情報が表示された画像である。ユーザーは、画像ＩＭ５４ｂを参照することにより、簡易かつ的確に、自動停止枚数に至るまでに要するだいたいの時間を認識できる。
画像ＩＭ５４ｃは、各色の樹脂の残量を、残量の大きさに応じて長さが変動するバーによって表す画像でる。ユーザーは、画像ＩＭ５４ｃを参照することにより、簡易かつ的確に、各色の樹脂の残量を認識できる。
【０１７２】
なお、上述した実施の形態は、あくまでも本発明の一態様を示すものであり、本発明の範囲内で任意に変形および応用が可能である。
例えば、上述した実施形態では、制御部２０が、シート製造装置１に設けられたタッチパネル５にユーザーインターフェース、その他の画面を表示する構成であった。しかしながら、制御部２０が外部の装置と通信し、当該外部の装置にユーザーインターフェースを表示する構成でもよい。
また、上述した実施形態では、カット前シートが切断工程でカットされてシートが製造される構成を例示したが、カット前シートが巻き取りローラーにより巻き取られる構成であってもよい。
また、図３に示した各機能ブロックのうち少なくとも一部は、ハードウェアで実現してもよいし、ハードウェアとソフトウェアの協働により実現される構成としてもよく、図に示した通りに独立したハードウェア資源を配置する構成に限定されない。また、制御部２０が実行するプログラムは、不揮発性記憶部または他の記憶装置（図示略）に記憶されてもよい。また、外部の装置に記憶されたプログラムを、通信部を介して取得して実行する構成としてもよい。
【符号の説明】
【０１７３】
１…シート製造装置、５…タッチパネル、６…非常停止ボタン、７…電源スイッチ、８…ブレーカースイッチ、２０…制御部、２１…タッチパネル制御部、２２…記憶部、２３…入力部、２４…ロック部、２５…検出部、３１…供給部、３２…粗砕部、３３…解繊部、３４…選別部、３５…ほぐし部、３６…混合部、３７…堆積部、３８…シート形成部、３９…切断部、４０…排紙部、４１…加湿部。
【図１】
2018043177.tif 000003
【図２】
2018043177.tif 000004
【図３】
2018043177.tif 000005
【図４】
2018043177.tif 000006
【図５】
2018043177.tif 000007
【図６】
2018043177.tif 000008
【図７】
2018043177.tif 000009
【図８】
2018043177.tif 000010
【図９】
2018043177.tif 000011
【図１０】
2018043177.tif 000012
【図１１】
2018043177.tif 000013
【図１２】
2018043177.tif 000014
【図１３】
2018043177.tif 000015
【図１４】
2018043177.tif 000016
【図１５】
2018043177.tif 000017
【図１６】
2018043177.tif 000018
【図１７】
2018043177.tif 000019
【図１８】
2018043177.tif 000020
【図１９】
2018043177.tif 000021
【図２０】
2018043177.tif 000022
【図２１】
2018043177.tif 000023
【図２２】
2018043177.tif 000024
【図２３】
2018043177.tif 000025
【図２４】
2018043177.tif 000026
【図２５】
2018043177.tif 000027
【図２６】
2018043177.tif 000028
【図２７】
2018043177.tif 000029
【図２８】
2018043177.tif 000030
【図２９】
2018043177.tif 000031
【図３０】
2018043177.tif 000032
【図３１】
2018043177.tif 000033
【図３２】
2018043177.tif 000034
【図３３】
2018043177.tif 000035
【図３４】
2018043177.tif 000036
【図３５】
2018043177.tif 000037
【図３６】
2018043177.tif 000038
【図３７】
2018043177.tif 000039
【図３８】
2018043177.tif 000040
【図３９】
2018043177.tif 000041
【図４０】
2018043177.tif 000042
【図４１】
2018043177.tif 000043
【図４２】
2018043177.tif 000044
【図４３】
2018043177.tif 000045
【図４４】
2018043177.tif 000046
【図４５】
2018043177.tif 000047
【図４６】
2018043177.tif 000048
【図４７】
2018043177.tif 000049
【図４８】
2018043177.tif 000050
【図４９】
2018043177.tif 000051
【図５０】
2018043177.tif 000052
【図５１】
2018043177.tif 000053
【図５２】
2018043177.tif 000054
【図５３】
2018043177.tif 000055
【図５４】
2018043177.tif 000056
【図５５】
2018043177.tif 000057
【図５６】
2018043177.tif 000058
【図５７】
2018043177.tif 000059
【図５８】
2018043177.tif 000060
【図５９】
2018043177.tif 000061
【図６０】
2018043177.tif 000062
【図６１】
2018043177.tif 000063
【図６２】
2018043177.tif 000064
【図６３】
2018043177.tif 000065
【図６４】
2018043177.tif 000066
【図６５】
2018043177.tif 000067
【図６６】
2018043177.tif 000068
【図６７】
2018043177.tif 000069
【図６８】
2018043177.tif 000070
【図６９】
2018043177.tif 000071
【図７０】
2018043177.tif 000072
【国際調査報告】
2018043177.tif 000073
2018043177.tif 000074
2018043177.tif 000075
2018043177.tif 000076